(57)【要約】  【課題】通常遊技に係わる遊技装置の設置スペースを十分に確保でき、通常遊技中と大当り遊技中とで遊技者が遊技球を発射する際、遊技盤上における狙う位置を変更する必要がない。  【解決手段】  遊技盤１１６の左下部及び右下部にはガイドレール１１７に沿うよう斜めに大入賞口１３５，１３６が配設され、大入賞口１３５，１３６の蓋体を開閉駆動する開閉駆動部は大入賞口ソレノイド、クランク、プランジャを含み、プランジャが押し込まれクランクが回転し突出部で蓋体を起立閉鎖状態から傾倒開放状態に変化させ、特別図柄始動口としての普通電動役物３０´´を大入賞口３５´´及び３６´´に対応させ２つ設け、大入賞口３５´´の蓋体５３´´の右側の縦辺上端を通る垂直線が左側の普通電動役物３０´´を通過し、大入賞口３６´´の蓋体５３´´の左側の縦辺上端を通る垂直線が右側の普通電動役物３０´´を通過する。【選択図】  図１２
2006061675.tif 000002
【特許請求の範囲】
【請求項１】
遊技盤と、
前記遊技盤の表面に設けられたガイドレールによって略円状に画定された遊技領域と、
前記遊技領域に設けられ、所定の条件が成立すると開口部を入球不可能な閉鎖状態から入球し易い開放状態に移行させる開閉部材を備える大入賞口と、を備えた弾球遊技機において、
前記大入賞口は、前記略円状の遊技領域を上下方向に分割する横中心線と前記遊技領域を左右方向に分割する縦中心線とで区画した、左下部領域及び右下部領域のうちの少なくとも１領域に、前記ガイドレールに沿うように斜めに設け、
前記大入賞口の蓋体を開閉駆動する開閉駆動部は、大入賞口ソレノイド、クランク、プランジャを含み構成され、プランジャが押し込まれると、クランクが回転し、突出部が出現し、蓋体を起立閉鎖状態から傾倒開放状態に変化させ、
更に特別図柄始動口としての普通電動役物を大入賞口に対応させて２個設け、大入賞口の蓋体の右側縦片上端を通過する垂直線が左側の普通電動役物を通過し、大入賞口の蓋体の左側縦片上端を通過する垂直線が右側の普通電動役物を通過することを特徴とする遊技機。
【発明の詳細な説明】
【技術分野】
【０００１】
本発明は遊技機に関し、詳しくは所定の条件が成立すると遊技球が入球不可能な閉鎖状態から入球し易い開放状態に移行する大入賞口を備えた弾球遊技機に関する。
【背景技術】
【０００２】
従来、大入賞口の配置箇所は、始動口より下の位置で、遊技領域を上下方向に分割する横中心線より下部である。これは、「遊技者が大当りを目指すために始動口を狙って遊技球を発射し、大当りが確定すると大入賞口を狙う。」という遊技の流れに対応して、遊技者が通常遊技中と大当り遊技中とで発射球の狙う位置を変更しなくてもいいように、同じ球の流下経路上に大入賞口と始動口を上下に設けたものである。
【０００３】
例えば、遊技盤の左右両端に大入賞口と始動口の各々が設けられている時などは優先的に狙う入賞口が左と右とに変更される。そのため、その都度発射強度を調節する必要が生じ、遊技者としては非常に煩わしいことになる。
【０００４】
また、大入賞口を遊技領域の中心下部に設けた別の理由としては、ガイドレールが遊技領域を略円状に画定しているため、左上部より遊技領域に侵入してくる遊技球は、遊技領域を上下方向に分割する横中心線より上の領域を遊技球が転動する場合は流下範囲が拡大していくが、該横中心線より下方に至るとそれ以降の流下経路は遊技領域を左右方向に分割する縦中心線上に集約していくことになる。そのため大入賞口を中心下部に備えることにより入賞しやすく、かつ、下方に備えた大入賞口に至るまでの遊技球の流下態様も複雑となり球の挙動にも興趣が発生するためである。
【０００５】
また、上記理由により遊技領域を上下方向に分割する横中心線と前記遊技領域を左右方向に分割する縦中心線とで４分割したうちの左下部領域及び右下部領域は、比較的遊技球が流下してくる頻度が低く、一般入賞口などを設けているものの、通常遊技、大当り遊技どちらにも殆ど関わらない領域となっている。
【０００６】
一方、近年の流れとして画像表示装置を備えた中央装置が拡大化傾向にある。これは画像表示が大当りを取得する上で、もっとも遊技者が注視する箇所であり、遊技の演出を向上させて行く上で表示領域が拡大していくのも必然と言えるものであるが、この遊技領域の略中心に据えられる中央装置が表示領域拡大に付随して拡大化をされていく上で、大入賞口の存在が問題となってくる。大入賞口は比較的遊技装置の中でも広い面積を必要とするもので、遊技領域の中央下部のスペースを必要とするものである。
【０００７】
そして、大入賞口にとっても中央装置の拡大化は問題であり、中央装置の拡大化により遊技球の流下経路が左右端部に追いやられて狭まってしまったことにより、中央下部に設けられた大入賞口に遊技球が集まり難くなっており、現状では中央装置に設けられたワープやステージを介して遊技球が中央に集まるように補助しているものの、以前の遊技機に比べて大入賞口へ至る距離が伸びたことから入賞ペースに激しいムラが生じてしまっている。
【０００８】
このような問題から、将来的に更なる遊技装置の拡大化、特に中央装置の拡大化を行なう場合、大入賞口の配置場所の問題を解決しないと拡大化は進めることができなくなる。また、遊技構成上大入賞口を２つ備える必要が生じた時には、両方の入球率を考慮に入れながら、配置しなければならなくなるため、設置場所の問題が更に深刻になってくる。
【０００９】
そこで、近年においては、大入賞口を遊技領域の右上部に配設する構成等が考えられているが（特許文献１参照）、大入賞口を右上部に配置した場合、通常遊技中は始動口を狙って遊技球を発射し、大当り遊技となると右上部を狙うというように、遊技者は遊技球の発射に際して狙う位置を変更しなければならないという煩わしさがある。
大入賞口を２つ設ける構成とした場合では、一方を右上に設けるとしても、他方の大入賞口に対する設置場所の問題はそのまま残る。２つの大入賞口を共に遊技盤の上方に設けたとしても、上記の大当り遊技の度に遊技球の発射に際して狙う位置を変更しなければならない問題は依然として解決されないままである。また、大入賞口を２つ水平に並べる、若しくは左右両端に設けるだけでは、非常にスペースを取ることになり、通常遊技に係わる役物等の配置、拡大化を行なうことが困難である（特許文献２参照）。
【特許文献１】特開２００３−７１０２１
【特許文献２】特開２００４−１６７１４
【発明の開示】
【発明が解決しようとする課題】
【００１０】
上記点に鑑み本発明は提案されたものであって、通常遊技に係わる遊技装置の設置スペースを十分に確保できるとともに、通常遊技中と大当り遊技中とで遊技者が遊技球を発射する際に、遊技盤上における狙う位置を変更する必要のない弾球遊技機を提供することを課題とする。
【課題を解決するための手段】
【００１１】
前記課題を解決するため請求項１に記載の弾球遊技機は、遊技盤と、前記遊技盤の表面に設けられたガイドレールによって略円状に画定された遊技領域と、前記遊技領域に設けられ、所定の条件が成立すると開口部を入球不可能な閉鎖状態から入球し易い開放状態に移行させる開閉部材を備える大入賞口と、を備えた弾球遊技機において、前記大入賞口は、前記略円状の遊技領域を上下方向に分割する横中心線と前記遊技領域を左右方向に分割する縦中心線とで区画した、左下部領域及び右下部領域のうちの少なくとも１領域に、前記ガイドレールに沿うように斜めに設け、前記大入賞口の蓋体を開閉駆動する開閉駆動部は、大入賞口ソレノイド、クランク、プランジャを含み構成され、プランジャが押し込まれると、クランクが回転し、突出部が出現し、蓋体を起立閉鎖状態から傾倒開放状態に変化させ、更に特別図柄始動口としての普通電動役物を大入賞口に対応させて２個設け、大入賞口の蓋体の右側縦片上端を通過する垂直線が左側の普通電動役物を通過し、大入賞口の蓋体の左側縦片上端を通過する垂直線が右側の普通電動役物を通過することを特徴とする。
【００１２】
本発明において、遊技盤と、前記遊技盤の表面に設けられたガイドレールによって略円状に画定された遊技領域と、前記遊技領域に設けられ、所定の条件が成立すると開口部を入球不可能な閉鎖状態から入球し易い開放状態に移行させる開閉部材を備える大入賞口と、を備えた弾球遊技機において、前記大入賞口は、前記略円状の遊技領域を上下方向に分割する横中心線と前記遊技領域を左右方向に分割する縦中心線とで区画した、左下部領域及び右下部領域のうちの少なくとも１領域に、前記ガイドレールに沿うように斜めに設けられるようにして好適である。前記大入賞口は、アウト口の上方に存在する遊技領域を避けた位置に配置することが好ましい。
【００１３】
更に、前記遊技盤の中央に配置された中央装置と、前記中央装置の下部に配置された始動口と、前記始動口及び／又は前記中央装置に入球し損なった零れ球を前記斜めに設置された前記大入賞口の横長の開口部の横辺に対して上方から略垂直に導く誘導経路を形成する複数の遊技部材と、を備えた構成とすることが好ましい。
複数の遊技部材として、遊技釘、風車等があげられる。遊技盤に配設される始動口と斜めに設置された大入賞口との間の遊技領域に下方へ遊技球が通過するのを妨げる役割を果たす遊技部材を設けてもよい。
【００１４】
また、中央装置に設けられたステージやワープ等に、ワープ又は中央装置下部の釘に跳ね上げられることで入球し、始動口及び始動口近辺に誘導されたにもかかわらず始動口に入球しなかった遊技球をも遊技盤面左右下部に傾斜状に設けられた大入賞口に対して誘導可能な構成としてもよい。
【００１５】
また、前記始動口の外壁及び／又は前記中央装置の外壁が前記大入賞口への誘導経路を形成する複数の遊技部材のうちの１つであることが好ましい。
斜めに配設された大入賞口へ誘導する遊技部材として、遊技釘、風車等に代えて又は加えて、始動口、中央装置等の形状そのものが誘導手段となり得るものである。
【００１６】
左方下部の大入賞口の右上部に始動口が、又は、右方下部の大入賞口の左上部に始動口が位置する場合等に、始動口に入球せずにはじかれた遊技球が大入賞口の方向に流下する誘導部位を外壁部に形成することが好ましい。
また、中央装置の形状が、遊技球がその外周部に隣接しながら流下したとき、該遊技球を左右下部に設けられた大入賞口に流下するように誘導する誘導路を成形する形状であることが好ましい。そのための誘導部材を中央装置の下部に取り付けた構成としてもよい。その場合、通常遊技中と大当り遊技中とで誘導部材の作動状態と非作動状態とに駆動される構成とすることが好ましい。
【００１７】
更に、前記始動口と、前記左下部領域及び前記右下部領域のうちの少なくとも１領域に設けられた前記大入賞口と、を一つのユニットとすることが考えられる。
前記始動口と左右いずれかの大入賞口とで一つのユニットする、又は、前記始動口と左右２つの大入賞口とで一つのユニットとし、複合型役物としてもよい。
【００１８】
前記中央装置の底部に遊技球が転動可能なステージを設け、該ステージは、前記始動口及び前記大入賞口に向かって前記遊技球を導き易い形状とすることが考えられる。
前記中央装置に、前記始動口に向かって遊技球が流下可能な排出口や、前記遊技盤面左右下部領域に前記斜めに設けられた大入賞口に向かって遊技球が流下可能な排出口を設けてもよい。
【００１９】
更に、前記大入賞口の開閉部材が、入球不可能な起立閉鎖状態と入球可能な傾倒開放状態とを繰り返す蓋体であって、該傾倒開放状態において、前記開閉部材に側壁が形成される構成とするのが好ましい。
大入賞口の開閉部材は、その下端に設けた軸を中心として、回転して閉鎖状態と開放状態を作り出す構成とし、開放状態となったときに、横長の開口部の左右に側壁が創出されることが好ましい。開口部の左右側面のうち、斜めに配設された大入賞口の斜め下側（アウト口側）にのみ、側壁を設けてもよい。側壁が、アウト口へ流下する遊技球を受け止め、入賞領域へと誘導されやすい形状とすることが好ましい。
【００２０】
前記大入賞口の前記開口部及び蓋体は、前記遊技盤の前記ガイドレールに沿って曲状に形成される構成とすることが考えられる。
【００２１】
また、前記大入賞口は、前記遊技盤の前記ガイドレールに沿って配設されたサイドランプと一体成形される構成にすることが考えられる。
サイドランプと大入賞口を一つのサイドユニットとしたものが考えられる。また、サイドランプ、大入賞口、始動口を一つのユニットとしてもよい。さらに、左右のサイドランプ、始動口、左右の大入賞口を一つのユニットとした構成でもよい。
【００２２】
更に、前記大入賞口は、前記開口部を覆う前記開閉部材の裏面に、前記開閉部材が開放状態とされるときに遊技球を誘導するための案内部材を備える構成とすることが考えられる。
大入賞口の開閉部材としての蓋体が開放状態となったときに現れる蓋体の裏側に、斜めに配設されている大入賞口を遊技球が通過してしまわないように、細く伸びたレール状の突起または段部が形成されていることが好ましい。
また、大入賞口への入賞を促す案内部材を、大入賞口の開口部の周囲に設ける構成としても構わない。
【００２３】
前記大入賞口の開口部の上端にテーパ部を備えた構成とすることが考えられる。
大入賞口の開閉部材は、その下端に設けた軸を中心として、回転して閉鎖状態と開放状態を作り出す構成とし、横長の開口部の横辺が、前記開口部の内部方向に向かって傾斜するテーパ形状であることが好ましい。
【発明の効果】
【００２４】
本発明において、遊技盤と、前記遊技盤の表面に設けられたガイドレールによって略円状に画定された遊技領域と、前記遊技領域に設けられ、所定の条件が成立すると開口部を入球不可能な閉鎖状態から入球し易い開放状態に移行させる開閉部材を備える大入賞口と、を備えた弾球遊技機において、前記大入賞口は、前記略円状の遊技領域を上下方向に分割する横中心線と前記遊技領域を左右方向に分割する縦中心線とで区画した、左下部領域及び右下部領域のうちの少なくとも１領域に、前記ガイドレールに沿うように斜めに設けることで、今まで有効に使われなかった遊技盤の左右下部の領域を有効に活用することができる。比較的有効に使用されていなかった左右下部の領域に、斜めに配置することにより、大入賞口の配置部分の少スペース化を行なうことができ、更なる他の遊技装置の増設や拡大化を行なえるスペースを確保することができる。
【００２５】
始動口及び／又は大入賞口に入球が至らなかった遊技球が大入賞口に対して垂直に流下する頻度が高くなるように、お互いを設置し、始動口と大入賞口との間に配置された遊技部材によって大入賞口への誘導経路が形成されるので、通常遊技時と大当り遊技時とで、遊技者が狙う遊技球の発射位置を移動させる必要がなくなる。
また、垂直に流下する確率が高くなるようにしたことで、斜めに設けられている大入賞口の最も開放幅の広い角度で遊技球を流下させることができることになり、斜めに設けたことによる不具合（横幅は従来よりも狭まるため、それだけ遊技球の集球率が低下）を解消することができ、大当り遊技時の無駄球の発生率を低減させることができる。
【００２６】
始動口の外壁及び／又は中央装置の外壁が大入賞口への誘導経路を形成する遊技部材として構成されるので、遊技球が斜めに設けられた大入賞口へ入賞する確率が高くなり、従来の水平方向に設けられた大入賞口と遜色のない入賞率を確保できる。また、始動口の外壁及び／又は中央装置の外壁に大入賞口へ遊技球を誘導する誘導部位を設けたため、遊技球が誘導される精度が向上する。精度が向上することにより、始動口と大入賞口との配置可能範囲が広くなりバリエーションに富んだ配置とすることができる。
【００２７】
更に、大入賞口と始動口を一つのユニットとしたため、遊技機製作時の取付位置のズレによる大入賞口への遊技球の流下率の固体差を抑えることができる。また、遊技機の製作工程数を減らすことができる。
【００２８】
中央装置に設けたステージが、始動口及び遊技盤の左右下部に斜めに配置された大入賞口に向かって遊技球を誘導可能な形状であるので、通常では不可能である中央装置による大入賞口への遊技球の誘導が可能となる。それによって、大入賞口への入賞率をより向上させることができる。
【００２９】
斜めに配設した大入賞口に側壁を設けたので、上方から流下する遊技球が開口部を通過してしまわないように遊技球を受け止める役割をはたし、入賞領域への入球率を向上させることができる。また、蓋体による開閉式で、しかも斜めの方向に開閉する構成のため、蓋体に対して遊技球は水平方向又は斜め方向から流入してくる頻度が高くなり、遊技球と蓋体が衝突する面積は小さくなるため、大入賞口自体に遊技球が衝突することによる大入賞口の劣化、破損等を防ぐことができる。
【００３０】
大入賞口の開口部を覆う蓋体の形状を曲状として、さらにガイドレールに沿う形状としたため、通常遊技時に使用される大入賞口以外の遊技装置の配置スペースがより拡大し、遊技領域を有効に利用できる。
【００３１】
更に、ガイドレールに沿って配設されたサイドランプとユニット化されることにより、さらに遊技領域の有効活用が可能となる。
【００３２】
蓋体の裏面に形成された案内部材によって、斜めに設置された大入賞口への入賞率が向上するので、遊技者にとって大入賞口が斜めに配置されていても不利益とならない遊技機を提供できる。
【００３３】
開口部の上部にテーパ部が形成されているので、閉鎖時の蓋と壁との密着性を向上させることができ、手や道具で、不正に蓋体をこじ開けることを防止できる。
【発明を実施するための最良の形態】
【００３４】
以下、本発明の各実施形態を図面を参照して説明する。尚、本実施形態では、遊技盤に後述する図柄表示装置を設置した場合のパチンコ遊技機を例として示す。
【００３５】
（第１実施形態）
図１に示すように、第１実施形態のパチンコ機１は、大きくは長方形の外枠２と前面枠３とからなり、外枠２の左隣に公知のプリペイドカードユニット４が設けられている。前面枠３は、左端上下のヒンジ５により外枠２に対し回動可能に取り付けられている。
【００３６】
前面枠３の下方には上皿６が設けられ、この上皿６の上面に貸出釦８、精算釦９及び残高表示部１０が設けられている。プリペイドカードユニット４のカード口１１にプリペイドカードを挿入すると、記憶された残高が残高表示部１０に表示され、貸出釦８を押下すると遊技球の貸出しが実行され上皿６の払い出し口より遊技球が排出される。
【００３７】
前面枠３には、窓状の金枠１２が前面枠３に対して解放可能に取り付けられている。この金枠１２には板ガラス１５が二重に嵌め込まれている。板ガラス１５の奥には遊技盤１６が収納されている。
遊技盤１６には、ガイドレール１７で囲まれる略円状の遊技領域１４が設けられている（図３参照）。
【００３８】
上皿６の前面枠３下部には、下皿１８が設けられ、下皿１８の右側には発射ハンドル２０が取り付けられている。この発射ハンドル２０の外周には、図示しない回動リングが擁され、これを時計方向に回動すれば遊技球を遊技盤１６上に発射することができる。
上皿６と下皿１８とは連結されていて、上皿６が遊技球で満杯状態になれば下皿１８に遊技球を誘導するよう構成されている。
【００３９】
図２はパチンコ機１の裏面図であり、前述した遊技盤１６を脱着可能に取り付ける機構盤２１が前述した外枠２に収納されている。この機構盤２１には、上方から、球タンク２２、誘導樋２３及び払出し装置２４が設けられている。
【００４０】
この構成により、遊技盤１６上の入賞口に遊技球の入賞があれば球タンク２２から誘導樋２３を介して所定個数の遊技球を払出し装置２４により前述した上皿６に排出することができる。
【００４１】
また、機構盤２１には主制御基板２５及び賞球制御基板２６が脱着可能に、遊技盤１６には図柄表示装置２７（以下、中央表示装置ともいう。）が、前面枠３左下部には発射制御基板２８が、図柄表示装置２７の左側に外部接続端子基板２９が、各々取り付けられている。尚、機構盤２１を中心とした遊技球の払い出し等に関する構造は従来の構成と同様なのでその詳細な説明は割愛する。
【００４２】
次に図３を用いて遊技盤１６について説明する。
遊技盤１６にはガイドレール１７の外レール１７ａと内レール１７ｂとによって囲まれた略円状の遊技領域１４が形成されている。
図３に示すように、ガイドレール１７内の遊技領域１４において、中央部に特別図柄表示装置２７を構成するＬＣＤパネルユニット（以下「ＬＣＤ」とする。）２７ａ、センターケース３７、ＬＣＤ２７ａの下方に設けられ一対の可動翼片３０ａを備えた特別図柄始動口としての普通電動役物３０、普通電動役物３０を構成する普通図柄表示部３１、普通図柄表示部３１に表示される図柄の変動開始に用いられる左右の普通図柄作動ゲート３２及び３３、盤面最下部のアウト口３４、普通電動役物３０の左下部の大入賞口３５、同じく右下部の大入賞口３６、その他の一般入賞口５７、風車１９及び遊技釘４０等が備えられている。大入賞口３５，３６は、遊技盤１６の貫通孔に取り付けられるものである。
【００４３】
大入賞口３５，３６は、前記略円状の遊技領域１４を上下方向に分割する横中心線Ｈと遊技領域１４を左右方向に分割する縦中心線Ｖとで区画した、左下部領域及び右下部領域に、それぞれ、ガイドレール１７の内レール１７ｂに沿うように斜めに設けられる。大入賞口３５，３６は普通電動役物３０の下部に左右対称に形成され、普通電動役物３０に入球し損なった零れ球が向かうようにゲージ構成がなされている。即ち、大入賞口３５の蓋体５３（図３、図６、図７参照）の右側の縦辺が普通電動役物３０に向かい、大入賞口３６の蓋体５３の左側の縦辺が普通電動役物３０に向かうように、普通電動役物３０に対して間隙を開けて配置されている。大入賞口３５，３６の左右の間隙は、普通電動役物３０の１個分の横幅の間隙が形成されている。大入賞口３５，３６の本体５１の上端を結ぶ水平線は、普通電動役物３０の下端より高く、上端よりも低く設定されている。大入賞口３５，３６の本体５１の下端を結ぶ水平線は、アウト口３４を通過するように設定されている。大入賞口３５，３６の本体５１の外側端を通る垂直線は、サイドランプ８３を通るように設定されている。大入賞口３５，３６の蓋体５３の最下点を結ぶ水平線は、普通電動役物３０の下端より低くされ、大入賞口３５，３６の蓋体５３の最上点を結ぶ水平線は、普通電動役物３０の下端より高く、上端よりも低く設定されている。蓋体５３の横辺（下辺）を揺動軸として、起立状態又は前方傾倒状態に変位するようになっている。大入賞口３５，３６は、アウト口３４の上方に存在する遊技領域１４を避けた位置に配置することが好ましい。
【００４４】
前述した発射ハンドル２０を回動すれば発射制御基板２８により駆動される発射モータ２８ａ（図４参照）が駆動されて上皿６上の遊技球がガイドレール１７に沿って遊技盤１６上に発射される。発射された遊技球が各入賞口に入賞すれば遊技球は盤面裏面にセーフ球として取り込まれ、入賞しなければアウト口３４を介してアウト球として同様に盤面裏面に取り込まれるようになっている。
【００４５】
続いて前述したパチンコ機１の電気的構成を図４のブロック図を用いて説明する。パチンコ機１の電気回路は、図示するように、主として、前述した主制御基板２５、賞球制御基板２６、図柄表示装置２７、発射制御基板２８、ランプ制御基板３８及び音制御基板３９等から構成されている。尚、この回路図には、信号の受け渡しを行うための所謂中継基板及び電源回路等は記載していない。
【００４６】
主制御基板２５は、遊技制御プログラムを記憶したＲＯＭ、演算等を行うＣＰＵ、演算等の作業領域として働くＲＡＭ等を内蔵した８ビットワンチップマイコンを中心とした論理演算回路として構成され、この他各基板又は各種スイッチ類及び各種アクチュエータ類との入出力を行うための外部入出力回路も設けられている。主制御基板２５の入力側には、特別図柄作動スイッチ３０ｂ、普通図柄作動スイッチ３２ａ及び３３ａ、カウントスイッチ４１、役物連続作動スイッチ（以下、単に「Ｖスイッチ」と呼ぶ）４２、賞球払出しスイッチ２４ａ、満タンスイッチ４３、補給スイッチ４４、タッチスイッチ２０ａ、カウントスイッチ４５、Ｖスイッチ４６等が接続されている。また、主制御基板２５の出力側には、大入賞口ソレノイド３５ａ，３６ａ、Ｖソレノイド４７，４８、普通役物ソレノイド３０ｃ、羽根ソレノイド５０ａ，５０ｂ、外部接続端子基板２９等が接続されている。
【００４７】
満タンスイッチ４３は下皿１８内、補給スイッチ４４は球タンク２２内、タッチスイッチ２０ａは発射ハンドル２０、特別図柄作動スイッチ３０ｂは前述した遊技盤１６上の始動口でもある普通電動役物３０内、普通図柄作動スイッチ３２ａ及び３３ａは各々普通図柄作動ゲート３２及び３３内、Ｖスイッチ４２は大入賞口３５、Ｖスイッチ４６は大入賞口３６内の各々の特定領域内、同じくカウントスイッチ４１は大入賞口３５、カウントスイッチ４５は大入賞口３６内、賞球払出しスイッチ２４ａは払出し装置２４内の球切りモータ２４ｂ（図４参照）の下方に、各々取り付けられている。
【００４８】
ここで、満タンスイッチ４３は下皿１８内に遊技球が満タン状態になったことを、補給スイッチ４４は球タンク２２内に遊技球が存在することを、タッチスイッチ２０ａは発射ハンドル２０に内蔵され遊技者が発射ハンドル２０に触れていることを、特別図柄作動スイッチ３０ｂは特別図柄始動口３０に入賞したことを、普通図柄作動スイッチ３２ａ，３３ａは普通図柄作動ゲート３２，３３を遊技球が通過したことを、カウントスイッチ４１，４５は大入賞口３５，３６内に入賞する全ての遊技球を、Ｖスイッチ４２，４６は大入賞口３５，３６内に入賞した遊技球が特別装置作動領域（以下、「特別領域」という。）を通過したことを、賞球払出しスイッチ２４ａは球切りモータ２４ｂにより上皿６に排出される遊技球を、各々検出するためのものである。
【００４９】
また、主制御基板２５の出力側に接続された大入賞口ソレノイド３５ａ，３６ａは大入賞口３５，３６、Ｖソレノイド４７，４８は大入賞口３５，３６内の特別領域、普通役物ソレノイド３０ｃは普通電動役物３０の各々の開閉に使用されるものである。
【００５０】
特別図柄表示装置２７は、ＬＣＤパネルユニット２７ａと、これを駆動制御する図柄表示装置制御基板（以下、単に「図柄制御基板」という。）２７ｂ、バックライト及びインバータ基板等の付属ユニット２７ｃ等から構成されている。図柄制御基板２７ｂは、前述した主制御基板２５と同様８ビットワンチップマイコンを中心とした論理演算回路として構成されている。
【００５１】
賞球制御基板２６は、主制御基板２５からの指令コマンドに従って球切りモータ２４ｂを駆動制御して入賞があった場合に遊技者に賞球としての遊技球を払い出すと共に、前述したプリペイドカードユニット４及びＣＲ精算表示基板４９等も制御するものであり、マイクロコンピュータを用いた論理演算回路として構成しても良いし、ディスクリートな回路として構成しても良い。ＣＲ精算表示基板４９は、前述した上皿６の貸出釦８、精算釦９及び残高表示部１０等と接続されたものである。
【００５２】
賞球制御基板２６は主制御基板２５からの指令に従って遊技球を払い出すが、入賞に対応した遊技球が払い出されているか否かの検知は主制御基板２５で行われる。この遊技球が払い出されているか否かの検知は、主制御基板２５及び賞球制御基板２６の双方で行っても良い。
【００５３】
発射制御基板２８は、遊技者が操作する発射ハンドル２０の回動量に応じて発射モータ２８ａを駆動制御するものであり、その他遊技者が発射停止スイッチ２０ｂを押下したとき発射を停止させたり、発射ハンドル２０に内蔵された前記タッチスイッチ２０ａがオン状態のときタッチランプ５８を点灯させるためのものである。
【００５４】
ランプ制御基板３８は主としてトランジスタ等の駆動素子から構成されており、主制御基板２５からの指令を受けて普通図柄保留ランプ及び普通図柄用ＬＥＤを有する普通図柄表示装置３１、大当りランプやエラーランプ等の各種ランプ５４及び各種ＬＥＤ５５等を点灯表示させるためのものである。
音制御基板３９は音源ＩＣ及びアンプ等から構成されており、主制御基板２５の指令を受けてスピーカ５６を駆動制御するためのものである。
【００５５】
前述した特別図柄表示装置２７、賞球制御基板２６、発射制御基板２８、ランプ制御基板３８及び音制御基板３９への送信は、主制御基板２５からのみ送信することができるよう一方向通信の回路として構成されているが、双方向の通信も可能であるように構成できる。
【００５６】
以上説明した回路構成を有するパチンコ機１の主制御基板２５内の８ビットワンチップマイコン（以下、単に「マイコン」と呼ぶ。）が実行する処理を図５に示すフローチャートに従って説明することにする。
【００５７】
図５に示すフローチャートは、主制御基板２５のマイコンにより実行されるメイン処理を表したものであり、約２ms毎のハードウェア割り込みにより定期的に実行される処理である。ステップＳ１００〜Ｓ１９０までの各処理は割り込み処理において１回だけ実行される処理であって「本処理」と称し、この本処理を実行して余った時間内に時間の許す限り繰り返し実行されるステップＳ２００及びＳ２１０の処理を「残余処理」と称する。
【００５８】
マイコンによるハードウェア割り込みが実行されると、まず正常割り込みであるか否かが判断される（ステップＳ１００）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。通常でない場合としては、電源投入時又はノイズ等によるマイコンの暴走等が考えられるが、マイコンの暴走は近年の技術の向上によりほとんど無いものと考えて良いので、大抵が電源投入時である。電源投入時には、ＲＡＭの所定領域の値が所定値と異なる値となっている。
【００５９】
正常割り込みでないと判断されると（ステップＳ１００：ＮＯ）、前記メモリの所定領域に所定値を書き込み、特別図柄及び普通図柄を初期図柄とする等のメモリの作業領域への各初期値の書き込み、即ち初期設定が為される（ステップＳ１１０）。
【００６０】
正常割り込みとの肯定判断が為されると（ステップＳ１００：ＹＥＳ）、まず初期乱数更新処理が実行される（ステップＳ１２０）。この処理は、初期乱数の値をこの処理を実行する毎に＋１とするインクリメント処理であり、この処理実行前の初期乱数の値に＋１とするが、この処理を実行する前の乱数値が最大値である「３２９」のときには次回の処理で初期値である「０」に戻り、「０」〜「３２９」までの３３０個の整数を繰り返し昇順に作成する。
【００６１】
ステップＳ１２０に続く当否乱数更新処理（ステップＳ１３０）は、初期乱数更新処理と同様に処理を実行する毎に＋１するインクリメント処理であるが、最大値である「３２９」に至ると次回の処理では、そのときの前記初期乱数の値を初期値（以下、「更新初期値」という。）とし、更に割り込み毎に＋１する処理を続行して更新初期値より「１」少ない値（以下、「更新最大値」という。）に至れば次回の処理では、更にそのときの初期乱数の値を初期値とし「０」〜「３２９」までの３３０個の整数値を繰り返し作成する。
即ち、割り込み処理毎に＋１し、乱数を構成する要素を「０」〜「３２９」までの整数値とすることは前記初期乱数と何等変わることはないが、今回の更新最大値に至れば次回の割り込み処理ではそのときの更新初期値を初期値とし更新最大値に至るまで割り込み毎に＋１し、更に次回の更新初期値を初期値とする構成である。これにより、当否乱数は、乱数を構成する要素を「０」〜「３２９」までの３３０個の整数値とし、割り込み処理毎に＋１するが、更新最大値に至れば、次回の割り込み処理ではそのときの初期乱数により決定される値に変更されるので、当否乱数の値を予測不可能にすることができる。また、更新初期値と更新最大値とにより決定される乱数の構成要素は従来の当否乱数と同じ「０」〜「３２９」の３３０個の整数値と何等変わることがないので乱数を構成する要素の出現率を均一にしている。
【００６２】
大当り図柄乱数更新処理（ステップＳ１４０）は、「０」〜「１４」の１５個の整数を繰り返し作成するカウンタとして構成され、本処理毎に＋１とされ最大値を超えると初期値である「０」に戻る。１５個の各乱数値「０」〜「１４」は、特別図柄表装置２７の画面上に表示される３桁同一の「１１１」、「２２２」、「３３３」、「４４４」、「５５５」、「６６６」、「７７７」、「８８８」、「９９９」、［ＡＡＡ］、「ＢＢＢ」、「ＣＣＣ」、「ＤＤＤ」、「ＥＥＥ」、「ＦＦＦ」、に各々対応する。
【００６３】
外れ図柄乱数更新処理（ステップＳ１５０）は、特別図柄表示装置２７では左図柄用乱数、中図柄用乱数及び右図柄用乱数から構成され、大当りでないときの外れ図柄として使用される。左図柄用乱数は、「０」〜「１４」の１５個の整数を繰り返し作成するカウンタとして構成され、本処理毎に＋１とされ最大値を超えると初期値である「０」に戻る。中図柄用乱数は、「０」〜「１４」の１５個の整数を繰り返し作成するカウンタとして構成され、左図柄用乱数が「０」に戻るときに本処理毎に＋１とされ最大値を超えると「０」に戻る。右図柄用乱数は、「０」〜「１４」の１５個の整数を繰り返し作成するカウンタとして構成され、中図柄用乱数が「０」に戻るときに本処理毎に＋１とされ最大値を超えると「０」に戻る。
【００６４】
普通図柄乱数更新処理（ステップＳ１６０）は、「０」〜「６」の７個の整数を繰り返し作成するカウンタとして構成され、本処理毎に＋１とされ最大値を超えると初期値である「０」に戻る。
【００６５】
前述した各乱数更新処理（ステップＳ１２０〜Ｓ１６０）により、初期乱数、当否乱数、大当り図柄乱数、外れ図柄乱数及び普通図柄乱数が各々更新されるが、続く処理（ステップＳ１７０）ではパチンコ機１に設けられ主制御基板２５に接続された各スイッチ類の入力処理が実行される。前述した満タンスイッチ４３、補給スイッチ４４、タッチスイッチ２０ａ、特別図柄作動スイッチ３０ｂ、普通図柄作動スイッチ３２ａ及び３３ａ、カウントスイッチ４１，４５、Ｖスイッチ４２，４６、賞球払出しスイッチ２４ａ、その他の一般入賞口５７に設けられた図示しない各入賞検知スイッチ等の各スイッチの作動状況をチェックする処理が実行される。
【００６６】
この入力処理（ステップＳ１７０）により、特別図柄作動スイッチ３０ｂに入力がある場合（特別図柄始動口としての普通電動役物３０に遊技球が入賞した場合）、この割り込み処理時の前記当否乱数の値が抽出され当否判定値と比較される。本実施形態のパチンコ機は、確率変動機として構成され、通常確率時では当否判定値は「１」であり、高確率時には「１」、「３」、「５」、「７」、「９」、「１１」である。前述したように当否乱数を構成する「０」〜「３２９」の３３０個の各整数値の出現率は均一であり、遊技球が作動口としての普通電動役物（始動口）３０に入賞するタイミングで抽出される当否乱数の値は、前記ハードウェア割り込みの微小時間である約２msと比較すれば入賞タイミングを微小時間単位で調節できないことから無作為に抽出された値となり、当否乱数は完全なる乱数として機能する。従って、抽出された当否乱数の値が当否判定値と一致して大当りとなる確率は、通常確率時には１／３３０であり、高確率時には１／５５（＝６／３３０）となる。
【００６７】
この大当りを発生させる確率が低確率状態から高確率状態に移行するのは、本実施形態では、大当り発生時の割り込み処理における前述した大当り図柄乱数の値が、「１」、「３」、「５」、「７」、「９」、「１１」及び「１３」、即ち、大当り図柄が「１１１」、「３３３」、「５５５」、「７７７」、「９９９」、「ＢＢＢ」及び「ＤＤＤ」（以下、「高確率図柄」という。）の場合であり、大当りが発生するときの７／１５の確率で高確率に移行する。そして、高確率中において、再び大当りを発生させたときの大当り図柄が高確率図柄であれば更に高確率状態が継続する。
【００６８】
メイン処理において当否判定処理（ステップＳ１８０）が終了すると、続いて各出力処理（ステップＳ１９０）に移行する。各出力処理では、遊技の進行に応じて主制御基板２５は、特別図柄表示装置２７、賞球制御基板２６、発射制御基板２８、ランプ制御基板３８、音制御基板３９、大入賞口ソレノイド３５ａ，３６ａ、普通役物ソレノイド３０ｃ等の各種ソレノイドに対して各々出力処理を実行する。即ち、前記各入力処理（ステップＳ１７０）により遊技盤面上の各入賞口に遊技球の入賞があることが検知されたときには賞球としての遊技球を払い出すべく賞球制御基板２６に賞球データを出力する処理を、遊技状態に対応したサウンドデータを音制御基板３９に出力する処理を、パチンコ機１に異常があるときにはエラー中であることを報知すべく特別図柄表示装置２７にエラー信号を出力する処理を、更には、大当り発生時には大当り処理を、各々実行し残余処理に移行する。
【００６９】
前述した本処理に続く残余処理は、外れ図柄乱数更新処理（ステップＳ２００）及び初期乱数更新処理（ステップＳ２１０）から構成されるが、各々前述したステップＳ１５０及びステップＳ１２０と全く同じ処理である。この２つの処理は無限ループを形成し、次の割り込みが実行されるまで時間の許される限り繰り返し実行される。前述したステップＳ１００〜Ｓ１９０までの本処理を実行するのに必要とされる時間は、大当り処理を実行するか否か、特別図柄の表示態様の相違等により割り込み毎に異なる。この結果、残余処理を実行する回数も割り込み毎に異なり、図５に示された割り込み処理が１回実行されることにより外れ図柄乱数及び初期乱数の更新される（加算される）値も一律ではなくなる。これにより、初期乱数及び外れ図柄乱数が当否乱数と同期する可能性はなくなる。尚、本実施形態においては、当否乱数の更新は初期乱数の値により変更される構成なので同期の虞は全くない。また、前述した普通図柄乱数更新処理（ステップＳ１６０）も残余処理内において実行するよう構成しても良い。
【００７０】
パチンコ機１の大当り動作は次の通りである。
即ち、遊技者により操作される発射ハンドル２０の回動量に応じて発射モータ２８ａにより遊技球が遊技盤１６上に発射され、発射された遊技球が特別図柄始動口としての普通電動役物３０に入賞すれば特別図柄作動スイッチ３０ｂにより検出され、特別図柄表示装置２７のＬＣＤ２７ａ画面上に特別図柄を所定時間変動表示した後に静止表示するよう働く。主制御基板２５から図柄制御基板２７ｂへ図柄に関するコマンド等が送信され、図柄制御基板２７ｂでは、ＬＣＤパネルユニット２７ａへの特別図柄、背景図柄等の画像を表示するように画像制御が実行される。特別図柄に関しては、まず左図柄が静止表示され、次に右図柄が静止表示され、右図柄と左図柄が一致しない場合は外れが確定し、その後、中図柄が静止表示される。右図柄と左図柄が一致した場合（例えば７？７）はリーチとなり、中図柄が変動した後に静止表示する。この静止表示した中図柄が右及び左図柄と一致しない場合はリーチ外れとなる（例えば７２７）。一方、この静止表示した特別図柄が予め定められた特定図柄、例えば、前記リーチの後、全ての特別図柄が一致した場合（「７７７」等の３桁同一図柄）を表示すると大当り遊技状態として、その後、遊技者に有利なゲーム内容を提供する。
【００７１】
大当り遊技状態となるか否かは、主制御基板２５により遊技球が特別図柄作動スイッチ３０ｂにより検出されたとき抽出される当否決定乱数の値が所定値であるか否かにより決定される。また、リーチとなるか否かは、主制御基板２５によりリーチ判定乱数の値が判定値であるか否かにより決定される。
【００７２】
こうして大当り状態となると、大入賞口３５（又は３６）が約３０秒間又は遊技球が１０個入賞したことがカウントスイッチ４１（４５）により検出されるまでのいずれか短い方の時間開放され、この間、大入賞口３５（３６）内の特別電動役物に入賞した遊技球が特別領域を通過したことがＶスイッチ４２（４６）により検出されると、一旦、大入賞口３５（３６）が役物連続作動装置の作動によって、閉鎖された後に再び開放され、この開放動作を最大１６回繰り返す。通常、遊技球１個の入賞に対して１５個の遊技球を賞球として払い出すよう構成しているので、１回の大当り状態が発生すると、約２４００（＝１５×１０×１６）個の遊技球を賞球として獲得することができる。尚、大入賞口３５（３６）の特別領域を開閉するＶソレノイド４７（４８）は、特別領域に遊技球が１個通過すると特別領域を閉鎖するためのものである。その後、大当り動作が終了すると、確変動作及び時短動作が実行される。
【００７３】
ここで、大当り遊技状態となったときに、入球不可能な閉鎖状態から入球し易い開放状態に移行する可変入賞装置である大入賞口３５について図６〜図８を参照して説明する。遊技盤１６の左下部に配置される大入賞口３５については、図３に示す通り、その形状がガイドレール１７の内レール１７ｂの左下部に沿う傾斜角度（ここでは約３０°〜４０°が好ましい）となったものである。遊技盤１６の右下部に配置される大入賞口３６については、図３に示す通り、その形状がガイドレール１７の内レール１７ｂの右下部に沿う傾斜角度（ここでは約１４０°〜１５０°が好ましい）となったものであり、その他の部分については大入賞口３５と同様である。本実施形態の大入賞口３５は、特別図柄表示装置２７に静止表示された特別図柄が予め定められた特定図柄であった場合に開放状態に作動されるアタッカータイプと呼ばれるものである。
【００７４】
図６、図７に示すように、大入賞口３５は、本体５１に開口部５２が形成され蓋体５３が開口部５２を開口するものであり、遊技盤１６面上に、横長の開口部５２を遊技盤の前方に向かうように形成し、開口部５２を覆う開閉部材としての蓋体５３が、下辺を中心に回動可能であって、横長の蓋体５３は横辺と縦辺とを備えている。蓋体５３の表面側には左右一対の突起５３ａ，５３ｂが形成されている。蓋体５３の裏面にクランク６２と連結するために突出部６０が形成されている。大入賞口３５が閉鎖状態では図６（ａ）のように蓋体５３は起立閉鎖状態となっており、開口部５２を閉鎖しているが、大当りとなると、図６（ｂ）のように、前方に傾倒開放状態に変化されて、開口部５２が遊技盤２２の前面側空間と連通し、遊技球を受け入れる空間が形成され、突起５３ａ，５３ｂが遊技領域１４の面と係止し、２つの入賞領域５９（左側の入賞領域が特定領域、右側の入賞領域が非特定領域）に遊技球が入賞可能に構成されるものである。
【００７５】
図７（ａ）は図６（ａ）のＡ−Ａ´断面図であり、大入賞口３５が閉鎖状態での断面図、図７（ｂ）は、図６（ｂ）のＢ−Ｂ´断面図であり、大入賞口３５が開放状態での断面図である。上壁部８１の前端部下面にテーパ部８２を備えている。また、この上壁部８１に合わせて取り付けられる蓋体５３の上部にもテーパ部８２に対応してテーパ部８２ａが設けられている。また閉鎖時に蓋体５３は本体５１の表面部５３ｃよりも奥側に引っ込んだ状態で起立している。このように、上部にテーパ部８２，８２ａを形成することによって、閉鎖時の蓋と壁との密着性を向上させ、手や道具で不正に蓋体５３をこじ開けることを防止できる。さらに、蓋体５３を奥側に引っ込めて配置できるので、一層、不正に開けにくくなり、不正防止に効果がある。
【００７６】
なお、大入賞口３５は、上記のように開口部５２にテーパ部８２，８２ａを備えた構成に限定されるものではなく、図９（ａ）に示すように、蓋体５３が表面部５３ｃから前方へやや突出した状態で閉鎖される、テーパ部を備えていない構成とすることも可能である。
【００７７】
また、大入賞口３５の蓋体５３を開閉駆動する開閉駆動部６１は、図８（ａ）に示すように、大入賞口ソレノイド３５ａ、クランク６２、プランジャ６３等から構成されている。図８（ｂ）に示すように、プランジャ６３が矢印Ｘの方向に押し込まれると、クランク６２が矢印Ｙの方向に回転すると、突出部６０の働きで、矢印Ｚの方向に向けて蓋体５３を起立閉鎖状態から傾倒開放状態に変化させるものである。その他の構造はパチンコ業界の一般的技術に従うので説明は略す。
【００７８】
以上詳細に説明した大入賞口３５（３６）は、蓋体５３が開口部５２を覆うようになっており、この状態では遊技球の入球が不可能になっており、一方、蓋体５３の横辺が水平方向に対して斜めに装着されていることから、蓋体５３の開放状態において、蓋体５３の上面が遊技盤１６の中央部に向かって開くようになっている。本実施形態では大入賞口３５（３６）を遊技領域１６の左下部領域と右下部領域に２つ設けてある。なお、大入賞口は、遊技盤１６の左下部又は右下部のうちのいずれか一方に設ける構成としてもよい。図１０は、大入賞口３６を削除し、左下部に大入賞口３５のみを設けた構成を示すものである。
【００７９】
図１１は、第１実施形態の遊技盤１６の変更形態１の遊技盤１６´として、大入賞口３５´（３６´）をガイドレール１７´からやや離して取付けたものである。図１１では大入賞口３５´（３６´）は開口状態である。前記した第１実施形態では間隙は無いかほとんどない状態であるが、ここでは、大入賞口３５の傾斜状態を維持したまま、大入賞口３５の０．５個〜１．５個の高さの間隙（縦辺の長さ）を設けたものである。左側の大入賞口３５´の蓋体５３´の右側の縦辺上端と、右側の大入賞口３６´の蓋体５３´の左側の縦辺左辺上端とを結ぶ水平線は普通電動役物３０´を通過するようになっている。このように、大入賞口３５の取付位置は、必ずしもガイドレール１７に近接した位置に限定されるものではなく。遊技領域１４´の左右下部の領域であって、ガイドレール１７に沿ったものであればよい。
【００８０】
図１２は、第１実施形態の遊技盤１６の更なる変更形態２の遊技盤１６´´で、特別図柄始動口としての普通電動役物３０´´を大入賞口３５´´及び３６´´に対応させて２つ設けた構成としたものである。大入賞口３５´´の蓋体５３´´の右側の縦辺上端を通る垂直線が左側の普通電動役物３０´´を通過し、また、大入賞口３６´´の蓋体５３´´の左側の縦辺上端を通る垂直線が右側の普通電動役物３０´´を通るように設定されている。左側の普通電動役物３０´´の左端を通過する垂直線が大入賞口３５´´の蓋体５３´´を通り、また、右側の普通電動役物３０´´の右端を通過する垂直線が大入賞口３６´´の蓋体５３´´を通るように設定されている。普通電動役物３０´´の間隙の横幅は、普通電動役物３０´´の横幅の半分である。各々の特別遊技に対応して１つの特別図柄表示装置２７にＬＣＤ２７ａ´´を２つ設けた構成となっている。左側のＬＣＤ２７ａ´´への大当り表示に対応して、左側の大入賞口３５´´が開放し、一方、右側のＬＣＤ２７ａ´´への大当り表示に対応して、右側の大入賞口３６´´が開放されることが好ましい。
【００８１】
第１実施形態のパチンコ機１によれば、次の効果を奏する。
従来、遊技領域１４の左右下部は、通常遊技及び大当り遊技においても、有効に活用されている場所ではなく、一般入賞口などを配している。その遊技領域１４の左右下部に大入賞口３５（３６）を配置することによって、遊技領域１４の今まで生かされてこなかった領域を有効活用することができ、遊技領域１４全体を活用することができるようになる。
また、ただ単に左右下部に設けただけではなく、ガイドレール１７に沿って傾斜状に配置したことにより、水平に配置するよりも横幅を取らずに設置することができ、少スペース化が可能となる。この大入賞口３５（３６）設置範囲の少スペース化により、センターケース３７の拡大化、その他の役物等の拡大化又は増設スペースを確保することができる。
【００８２】
（第２実施形態）
第２実施形態のパチンコ機１００の遊技盤１１６の構成について、図１３及び図１４を参照して説明する。
本実施形態では、始動口１３０に入球し損なった零れ球が斜めに左右対称に配置された大入賞口１３５，１３６に入球する確率が高くなるように始動口１３０と大入賞口１３５及び１３６の間に誘導部材６４を配置している。本実施形態では遊技釘１４０が誘導部材６４を構成している。なお、第１実施形態に係る図中の符号を１００番台に置き換え、第１実施形態と同様の構成部品についてはその説明を援用する。
【００８３】
本実施形態では、左方下部の大入賞口１３５の右上部には始動口１３０とセンターケース１３７が設置されている。また、右方下部の大入賞口１３６の左上部には始動口１３０とセンターケース１３７が設置されている。そして大入賞口１３５の上部には複数の遊技釘１４０によって構成される遊技釘群ＹＧ１が植設され、その遊技釘群ＹＧ１によって大入賞口１３５への入球確率を高める複数の球経路Ｋ１が形成されている（図１４矢印参照）。遊技釘群ＹＧ１，ＹＧ２は、大入賞口１３５，１３６の蓋体１５３の横辺に対して遊技球が略垂直に流下するように植設されている。遊技釘群ＹＧ１，ＹＧ２の植設範囲は、大入賞口１３５，１３６に対応して傾斜して設定され、その傾斜状態での横幅は、概ね蓋体１５３の横幅であって、また、その高さは蓋体１５３の高さの１〜２倍、好ましくは１〜１．５倍の範囲が好ましい。また、大入賞口１３６の上部には複数の遊技釘１４０によって構成される遊技釘群ＹＧ２が植設され、その遊技釘群ＹＧ２によって大入賞口１３６への入球確率を高める複数の球経路Ｋ２が形成されている（図１４矢印参照）。
これらの遊技釘群ＹＧ１，ＹＧ２によって、遊技者が始動口１３０を狙って遊技球を弾球した場合、始動口１３０への入球に失敗し、該始動口１３０の左右下部に流下した遊技球は、該大入賞口１３５，１３６の設置角度に対し略垂直に流下する確率が高くなる。
【００８４】
このように始動口１３０に入球が至らなかった遊技球が大入賞口１３５，１３６に対して垂直に流下する頻度が高くなるように、大入賞口１３５，１３６を傾斜設置し、その間に誘導部材６４（ここでは遊技釘１４０）を植設することにより、遊技者は、大入賞口１３５，１３６が遊技領域１４０の左下下部と右下下部にガイドレール１１７に沿って斜めに配置されているにもかかわらず、遊技盤を左右方向に分割する縦中心線上に大入賞口と始動口を上下に並設した従来の遊技機と同様、通常遊技時と大当り遊技時とで遊技者が遊技球発射時に狙う位置を変える必要がなくなる。
また、始動口１３０への零れ球が大入賞口１３５，１３６へ垂直に流下する確率が高くなるようにしたことで、斜めに設けられている大入賞口１３５，１３６の最も開放幅の広い角度で遊技球を流下させることができることになり、斜めに設けたことによる不具合（横幅は従来よりも狭まるため、それだけ遊技球の集球率が低下）を解消することができ、大当り遊技時の無駄球の発生率を低減させることができる。
【００８５】
（第３実施形態）
第３実施形態のパチンコ機２０１の遊技盤２１６の構成について、図１５及び図１６を参照して説明する。
本実施形態では、始動口２３０に入球し損なった零れ球が斜めに配置された大入賞口２３５，２３６に入球する確率が高くなるように、始動口２３０の外壁部に誘導部位６５，６６を設けたものである。なお、第２実施形態に係る図中の符号を２００番台に置き換え、第２実施形態と同様の構成部品についてはその説明を援用する。
【００８６】
図１５に示すように、本実施形態の遊技盤２１６には、第２実施形態と同様、始動口２３０に入賞し損なった零れ球を大入賞口２３５，２３６へと誘導する経路を形成する遊技釘群ＹＧ１，ＹＧ２が設けられるとともに、さらに、始動口である電動役物２３０の外壁部の左側及び右側に、前記零れ球を大入賞口２３５，２３６へと誘導する誘導部位６５及び６６が設けられている。誘導部位６５は、始動口２３０への零れ球が斜めに装着された大入賞口２３５の開口部２５２に向かうように、下方に行くに従い末広がりの形状となっている。また、誘導部位６６も同様に、大入賞口２３６の開口部２５２に向かうように、下方に行くに従い末広がりの形状となっている（図１６（ａ）参照）。誘導部位６５及び６６は、左右対称に一対形成され、三角形に形成され、頂部が横方向に突出した形状になっている。その上辺は内側に凹成され、遊技球の離脱する方向がそれぞれ大入賞口２３５，２３６へと向かっている。その下辺は凸成されていても凹成されていてもよい。誘導部位６５及び６６の左右端部を通過する垂直線は、電動役物２３０の横幅の範囲に収まっているが、横幅の範囲を超えるようにしてもよい。遊技者が始動口２３０を狙って遊技球を弾球した場合、図１６（ａ）の矢印で示す通り、可動翼片２３０ａが閉じているときに、始動口２３０へ入球し損なった遊技球は電動役物２３０の壁と釘２４０の間を抜け、誘導部位６５及び６６により誘導されて、大入賞口２３５，２３６へと向かい、遊技釘群ＹＧ１，ＹＧ２によって、大入賞口２３５，２３６の設置角度に対し略垂直に流下するように誘導されるようになっている。これにより、始動口２３０への零れ球が、開放状態の大入賞口２３５，２３６へ入賞する確率が高くなる。
【００８７】
図１６（ｂ）は、第３実施形態の変更形態の始動口２３０´を示したもので、誘導部位６５´，６６´が電動役物２３０´の可動翼片２３０ａ´に形成されたものである。第３実施形態における可動翼片２３０ａを傾斜面を含む誘導機能を備えた形状として誘導部位６５´及び６６´とし、図１６（ｂ）の矢印に示すように、可動翼片２３０ａ´が閉じているときに、始動口２３０´に入球し損なった零れ球を大入賞口２３５´，２３６´へと誘導する構成となっている。誘導部位６５´，６６´は左右対称形状であって、逆Ｌ字形状に屈曲したものであり、上辺は、遊技球が遊技釘群ＹＧ１，ＹＧ２に向かって流下するように凹成されている。上辺の傾斜角度は適宜設定できる。
【００８８】
第３実施形態のパチンコ機２０１によれば、次の効果を奏する。
始動口２３０が形成される外壁に、斜めに設けられた大入賞口２３５，２３６に対して略垂直に遊技球を流下させるための誘導部位６５，６６を設けたため、始動口２３０に入球し損なった零れ球が大入賞口２３５，２３６に向かって垂直に誘導する精度が向上する。精度が向上することにより、始動口２３０と大入賞口２３５，２３６の配置関係に幅を持たせることができ、始動口２３０と大入賞口２３５，２３６との配置可能な範囲をより自由に選択できるようになる。上記の変更形態も同様の効果を奏する。
【００８９】
（第４実施形態）
第４実施形態のパチンコ機３０１の遊技盤３１６の構成について、図１７及び図１８を参照して説明する。
本実施形態は、大入賞口３３５，３３６と始動口３３０を同一のユニット内に納めたものである。なお、第３実施形態に係る図中の符号を３００番台に置き換え、第３実施形態と同様の構成部品についてはその説明を援用する。
【００９０】
図１７に示すように、遊技盤３１６には始動口３３０の左右下方から大入賞口３３５，３３６の領域にかけて遊技釘群ＹＧ１及びＹＧ２が設けられ球経路Ｋ１及びＫ２が形成されている。また、始動口３３０の左右の外周には、誘導部位３６５及び３６６が設けられて、第３実施形態と同様、始動口３３０から大入賞口３３５，３３６へと遊技球が垂直に流下する確率が高くなるような構成となっている。
そして、大入賞口３３５，３３６と始動口３３０を一つの始動口大入賞口ユニット６７として一体的に形成している。この始動口３３０の形状は遊技球がその外周部の左右いずれかに接触すると、同一ユニット内に納められた大入賞口３３５，３３６へと流下しやすいものとなっている。始動口３３０の下方に中央には連結板６７ａが形成され、始動口３３０下部と大入賞口３３５右部と大入賞口３３６左部とを連結している。また下辺中央にはアウト口３３４を避ける切り欠き６７ｂが形成されている。
【００９１】
第４実施形態のパチンコ機３０１によれば、次の効果を奏する。
まず、大入賞口３３５，３３６と始動口３３０とが複合型役物としてユニット化されているため、遊技機を製作する際の工程数を減らすことができる。また、遊技機製作時の取付位置のズレによる大入賞口３３５，３３６への流下率の差を低減することが可能となり、始動口３３０から大入賞口３３５，３３６への流下率をほぼ一定とすることができる。
【００９２】
（第５実施形態）
第５実施形態のパチンコ機４０１の遊技盤４１６の構成について、図１９〜図２１を参照して説明する。
本実施形態は、遊技盤４１６の中央に設けられたセンターケース４３７の左下部と右下部に、遊技球を大入賞口４３５及び４３６へと誘導する誘導部材６８，６９を設けたものである。なお、第４実施形態に係る図中の符号を４００番台に置き換え、第４実施形態と同様の構成部品についてはその説明を援用する。
【００９３】
図１９に示すように、本実施形態の遊技盤４１６の中央に位置するセンターケース４３７の左右端の下部には、遊技球がセンターケース４３７の外周部に近接又は隣接しながら流下したときに、大入賞口４３５及び４３６に誘導する誘導部材６８，６９が設けられている。センターケース４３７の左右に打ち出された遊技球のうち、図２０の矢印に示すように、センターケース４３７の外周部に近接又は隣接しながら流下し、風車４１９の横に設けられたステージ流入部４７０ａからワープ４７１又はステージ４７０に導かれた遊技球は、始動口４３０のある領域に流下する。また、風車４１９によってステージ４７０と反対側に振り分けられた遊技球は誘導部材６８，６９により大入賞口４３５，４３６の方向へ流下する。
この誘導部材６８，６９を設けたことによって、ガイドレール４１７を経て遊技領域４１４へ打ち出された遊技球はセンターケース４３７へ入り損ねたとしても、センターケース４３７の外周部に近接又は隣接しながら流下し、センターケース４３７の左側から誘導部材６８によって大入賞口４３５へ誘導されるか、又は、センターケース４３７の右側から誘導部材６９によって大入賞口４３６へ誘導されるようになっている。
【００９４】
本実施形態では、図２１に示すように、遊技者が特別図柄始動口４３０を狙う通常遊技中、すなわち大入賞口が閉鎖状態では、図２１（ａ）のように、この誘導部材６８，６９はセンターケース４３７に収容された状態とし、センターケース４３７の外周部に近接又は隣接しながら流下してきた遊技球を始動口４３０へと誘導し、一方、大当り時、すなわち大入賞口開放状態では、図２１（ｂ）に示すように、本実施形態の特徴的構成である誘導部材６８，６９を収容状態から突出状態へと揺動させ、その位置を変化させて、センターケース４３７の外周部に近接又は隣接しながら流下してきた遊技球を大入賞口４３５及び４３６へと誘導するようになっている。誘導部材６８，６９は爪片の形状が好ましい。誘導部材６８，６９の側面は外側に対して反るように凹成されていることが好ましい。誘導部材６８，６９は上端が揺動自在にセンターケース４３７に係止され、図２１（ａ）（ｂ）の２つの位置を取るように設定されている。誘導部材６８，６９の揺動はソレノイド等の電動装置によって実施できる。
【００９５】
第５実施形態のパチンコ機４０１によれば、次の効果を奏する。
この誘導部材６８，６９により、センターケース４３７に入球し損なった零れ球をも、斜めに配置した大入賞口４３５，４３６へ誘導できる。センターケース４３７の外周とガイドレール４１７又は遊技釘４４０、始動口４３０の外周の誘導部位４６５及び４６６の役物や案内部材等で大入賞口４３５，４３６へ誘導することができるため、斜めに設けられた大入賞口４３５，４３６への入球率を向上させることができ、従来の水平方向に設けられた大入賞口と遜色なく使用することができる。さらに誘導部位４６５及び４６６をセンターケース４３７に収容できるので、通常遊技中でも支障がない。
【００９６】
（第６実施形態）
第６実施形態のパチンコ機５０１の遊技盤５１６の構成について、図２２及び図２３を参照して説明する。
本実施形態は、センターケース５３７のステージ５７０に導かれ、ステージ５７０から落下した遊技球のうち始動口５３０へ入賞し損なった遊技球を大入賞口５３５及び５３６へと誘導する誘導部材５４０を設けたものである。なお、第４実施形態に係る図中の符号を５００番台に置き換え、第４実施形態と同様の構成部品についてはその説明を援用する。
【００９７】
図２２に示すように、センターケース５３７に設けられたステージ５７０にはワープ５７１又はステージ５７０下部の釘５４０ａに跳ね上げられることで流入し、そこから、始動口５３０及び始動口５３０近辺に誘導されるが、始動口５３０及び始動口５３０近辺に誘導されたにもかかわらず始動口５３０に入球しなかった遊技球は誘導部材である遊技釘５４０ｂによって遊技盤面左右下部に傾斜状に設置された大入賞口５３５，５３６に流下する構成となっている。なお、本実施形態では、風車５１９は始動口５３０への誘導手段となっている。
【００９８】
第６実施形態のパチンコ機５０１によれば、次の効果を奏する。
本実施形態の特徴点として、センターケース５３７に設けられたワープ５７１及びステージ５７０を介してきた遊技球をも大入賞口５３５及び５３６へと誘導することができるため、更なる大入賞口５３５，５３６への入賞率の向上が可能となる。
【００９９】
（第７実施形態）
第７実施形態のパチンコ機６０１の遊技盤６１６の構成について、図２４及び図２５を参照して説明する。
本実施形態は、ステージ６７０下部に、始動口６３０及び始動口６３０近辺に遊技球が流下する排出口７３、遊技領域６１４左右下部に傾斜状に設置された大入賞口６３５，６３６方向に遊技球が流下する排出口７２，７４を設けたものである。なお、第６実施形態に係る図中の符号を６００番台に置き換え、第６実施形態と同様の構成部品についてはその説明を援用する。
【０１００】
本実施形態では、センターケース６３７に設けられたステージ６７０には、ワープ６７１から遊技球が入り、始動口６３０及び始動口６３０近辺又は遊技領域６１４左右下部に傾斜状に設置された大入賞口６３５，６３６方向に流下するようにステージ６７０上から排出される。ステージ６７０の形状を、始動口６３０方向に流下する排出口７３の他に、左右下部に設けられた大入賞口６３５，６３６の方向へ向けて流下する排出口７２及び７４を有する形状としたものである。ここで排出口７２及び７４は、ステージ６７０の床下に、排出口７３の左右に配置されている。
【０１０１】
図２５（ａ）に示すように、本実施形態のステージ６７０には、ワープ入口７５から入球しワープ出口７６からステージ６７０上に流入した遊技球は、三つ孔入球装置（クルーンともいう）７７に形成された入球口から入球しステージ６７０内部へ取り込まれ、ステージ６７０下部に形成された排出口７２、７３、７４の３つの排出口に振り分けられる。ここではクルーン７７の孔と排出口７２、７３、７４が１対１に対応していることが好ましい。この排出口７２に振り分けられた遊技球は図２５（ｂ）の矢印Ｙ１方向に流下し誘導釘６４０を経て大入賞口６３５へ入球する確率が高くなる。また、排出口７３に振り分けられた遊技球は矢印Ｙ２に示すように始動口６３０に入球し、排出口７４に振り分けられた遊技球は矢印Ｙ３に示すように誘導釘６４０を経て大入賞口６３６へ入球する確率が高くなる。また一方、ステージ６７０に流入してもクルーン７７に入球しなかった遊技球は排出口７２、７３、７４を経ずに、ステージ６７０からランダムに流下する。
【０１０２】
このように、第７実施形態のパチンコ機６０１によれば、センターケース６３７に設けられたワープ６７１及びステージ６７０から流下する遊技球をも、排出口７２，７４によって大入賞口６３５，６３６へと誘導できるため、更なる大入賞口６３５，６３６への入賞率の向上が可能となる。
【０１０３】
（第８実施形態）
第８実施形態のパチンコ機７０１の遊技盤７１６の構成について、図２６〜図２９を参照して説明する。
本実施形態は、第１実施形態における大入賞口３５（３６）の開口部５２及び蓋体５３（開閉部材）を、レールに沿わせるために曲状に形成したものである。なお、第１実施形態に係る図中の符号を７００番台に置き換え、第１実施形態と同様の構成部品についてはその説明を援用する。
【０１０４】
図２６に示すように、遊技盤７１６面上の大入賞口７３５は、横長かつガイドレール７１７に沿って曲状となっており、この曲状の開口部７５２を覆う蓋体７５３が、閉鎖状態では図２７（ａ）のように起立閉鎖状態となっている。そして、大当りとなると、図２７（ｂ）のように、起立閉鎖状態から傾倒開放状態に変化されて、入賞領域７５９が構成されるものである。なお、遊技盤７１６の右下部に配置される大入賞口７３６については、その形状がガイドレール７１７の内レール７１７ｂの右下部に沿う曲状となっており、その他の部分については大入賞口７３５と同様である。
【０１０５】
図２８（ａ）は大入賞口７３５が閉鎖状態での断面図、図２８（ｂ）は、大入賞口７３５が開放状態での断面図である。
また、大入賞口７３５の蓋体７５３の開閉動作を駆動する開閉駆動部７６１は、図２９（ａ）に示すように、大入賞口ソレノイド７３５ａ、プランジャ７６２、クランク７６３等から構成されている。図２９（ｂ）に示すように、プランジャ７６２が矢印Ｘの方向に押し込まれると、クランク７６３が矢印Ｙの方向に回転し突出部７６０が現われ、蓋体７５３が矢印Ｚの方向へ傾倒されて起立閉鎖状態から傾倒開放状態に変化するものである。
【０１０６】
第８実施形態のパチンコ機７０１によれば、第１実施形態と同様、今まで生かされてこなかった遊技盤７１６の左右下部の領域をさらに有効に活用することができるとともに、遊技盤７１６上に、通常遊技に係る遊技装置の設置スペースを十分に確保することができる。
【０１０７】
（第９実施形態）
第９実施形態のパチンコ機８０１の遊技盤８１６の構成について、図３０〜図３３を参照して説明する。
本実施形態は、第８実施形態における大入賞口７３５（７３６）で開閉する蓋体７５３を変更し、蓋体８５３が遊技盤８１６内部に埋没した状態から遊技盤８１６の前方へと突出させる形状にしたものである。なお、第１〜８実施形態に係る図中の符号を８００番台に置き換え、第１〜８実施形態と同様の構成部品についてはその説明を援用する。
図３０に示すように、遊技盤８１６面上の大入賞口８３５，８３６は、横長かつガイドレール８１７に合わせて曲状となっており（直線状でもよい）、この曲状の開口部８５２を覆う引き出し構造の開閉部材８５３を有するものである。この開閉部材８５３は、閉鎖状態では図３１（ａ）のように表面側の蓋面で開口部８５２を閉じた状態となっている。このとき、入賞領域８５９を開閉部材８５３の底面が閉鎖している（図３２（ａ）参照）。そして、大当りとなると、図３１（ｂ）のように、遊技盤８１６の前方向に押出されて突出状態となり、貫通孔８９６と入賞領域８５９とが連通して入賞可能とするものである（図３２（ｂ）参照）。
【０１０８】
大入賞口８３５の開閉部材８５３は図３２の断面図に示すように、引出し状に突出する構成となっており、図３２（ａ）は大入賞口８３５が閉鎖状態での断面図、図３２（ｂ）は、大入賞口８３５が開放状態での断面図である。
また、大入賞口８３５の開閉部材８５３の開閉動作を駆動する開閉駆動部８６１は、大入賞口ソレノイド８３５ａ及びロッド８７８等から構成され、図３２（ｂ）に示すように、大入賞口ソレノイド８３５ａがロッド８７８を介して大入賞口８３５の開閉部材８５３に連繋され、このロッド８７８の伸縮に応じて開閉部材８５３が突出及び閉鎖動作を繰り返すよう構成されている。ロッド８７８が伸張して開閉部材８５３が突出状態となると、遊技領域８１４を流下する遊技球が開閉部材８５３の上面部から入球し、図３３に示す貫通孔８９６に入球した後、入賞領域８５９に入賞し、検出スイッチ（図示略）に検出されて遊技者に賞球が払い出される構成となっている。
【０１０９】
第９実施形態のパチンコ機８０１によれば、第８実施形態と同様、遊技盤８１６上に、通常遊技に係る遊技装置の設置スペースを十分に確保することができるとともに、大当り時に大入賞口８３５の開閉部材８５３自体が突出することによる趣向を与えることができる。
【０１１０】
（第１０実施形態）
第１０実施形態のパチンコ機９０１の遊技盤９１６の構成について、図３４〜図３６を参照して説明する。
本実施形態は、大入賞口９３５に、引き出し構造を備える開閉部材９５３を設け、開閉部材９５３の表面部９５３ａは、遊技盤９１６の前方へ突出しているが、その開口部９５２に開閉蓋９５３ｂを設けて、開閉蓋９５３ｂによって、開放状態から閉鎖状態に変位させる構造である。開閉蓋９５３ｂを奥側に退避させると開口部９５２が開放状態となり、開閉蓋９５３ｂを前方に進出させると開口部９５２が閉鎖状態となるものである。なお、第９実施形態に係る図中の符号を９００番台に置き換え、第９実施形態と同様の構成部品についてはその説明を援用する。
【０１１１】
図３４に示すように、遊技盤９１６面上の大入賞口９３５，９３６はガイドレール９１７に沿って遊技領域９１４の左右下部に配置され、開閉部材９５３が設けられている。
図３５（ａ）は大入賞口９３５の開閉蓋９５３が突出状態の拡大図、図３５（ｂ）は大入賞口９３５の開閉蓋９５３が埋設状態の拡大図である。開口部９５２及び開閉蓋９５３ｂは水平であるが、前述した実施形態の通り、傾斜を持たせたものでも好い。
【０１１２】
図３６（ａ）は図３５（ａ）のＡ−Ａ´断面図で、開閉蓋９５３ｂは開口部９５２を遮蔽して、大入賞口９３５は閉鎖状態となっている。図３６（ｂ）は図３５（ｂ）のＢ−Ｂ´断面図で、開閉蓋９５３ｂが遊技盤９１６の裏部に向かって退避し埋没し開口部９５２を開放した状態となっている。
【０１１３】
第１０実施形態のパチンコ機９０１によれば、第９実施形態と同様の効果を奏するとともに、開口部９５２が遊技盤９１６の上方に向かって開口しているので、流下してきた遊技球を取り込みやすい大入賞口となる。さらに、大当り遊技時に突出した大入賞口９３５の開口部９５２に開閉蓋９５３が突出して現れたり引っ込んだりすることによる趣向を与えることができる。
【０１１４】
（第１１実施形態）
第１１実施形態のパチンコ機１００１の遊技盤１０１６の構成について、図３７〜図３８を参照して説明する。
本実施形態は、大入賞口１０３５，１０３６を、遊技盤１０１６のガイドレール１０１７に沿って遊技領域１０１４の左下部及び右下部に斜めに配設したもので、大入賞口１０３５，１０３６の蓋体１０５３に側面板（側壁）１０８０を設けたものである。なお、第１〜第８実施形態に係る図中の符号を１０００番台に置き換え、前記実施形態と同様の構成部品についてはその説明を援用する。
【０１１５】
図３７に示すように、遊技盤１０１６面上の大入賞口１０３５，１０３６はガイドレール１０１７に沿って遊技領域１０１４の左右下部に配置され、蓋体１０５３が設けられている。
図３８（ａ）は大入賞口１０３５の蓋体１０５３が閉鎖状態の拡大図、図３８（ｂ）は大入賞口１０３５の蓋体１０５３が開放状態の拡大図で、蓋体１０５３の下端を中心として回転することにより、蓋体１０５３が起立閉鎖状態から傾倒開放状態に変位するものである。
本実施形態では、蓋体１０５３が傾倒開放状態となると、図３８（ｂ）に示すように、側面板１０８０が現れる。大入賞口１０３５は遊技球の流下方向に対して斜めに配置されているが、この側面板１０８０が遊技盤の下方に向かって流下していく遊技球を受け止める役割を果たす。
【０１１６】
第１１実施形態のパチンコ機１００１によれば、斜めに配設した大入賞口１０３５，１０３６の蓋体１０５３に側面板（側壁）１０８０が設けられ、上方から流下する遊技球が開口部を通過してしまわないように遊技球を受け止める役割をはたすので、入賞領域への入球率を向上させることができる。これによって、大入賞口１０３５，１０３６を斜めに配設したことによる不具合を低減できる。
【０１１７】
（第１２実施形態）
第１２実施形態のパチンコ機１１０１の遊技盤１１１６の構成について、図３９及び図４０を参照して説明する。
本実施形態は、ガイドレール１１１７に沿って斜めに配設した大入賞口１１３５，１１３６に、閉鎖状態と開口状態を創出するための蓋体１１５３を設けたものである。蓋体１１５３は丘陵状に形成されており、中央部のみ丘陵部が後退して形成され、流下してきた遊技球がこの後退した部分（凹部）に衝突して、開口部１１５２に入球しやすい形状となっている。大入賞口１１３５とサイドランプ１１８３は一体構造とする。なお、第１１実施形態に係る図中の符号を１１００番台に置き換え、第１１実施形態と同様の構成部品についてはその説明を援用する。
【０１１８】
図４０に示すように、本実施形態の大入賞口１１３５にはシャッタ構造を備えており、遊技盤１１１６の中央に向かって開口する開口部１１５２を開閉する部材としての蓋体１１５３が遊技盤面に対して平行に備えられ、蓋体１１５３が遊技盤１１１６の中央方向に向かってスライドして前進した通常位置にある場合は開口部１１５２は閉鎖状態となり（図４０（ａ）参照）、逆に遊技盤１１１６のガイドレール１１１７の方向に向かってスライドして後退した後退位置にある場合は開口部１１５２は開放状態（図４０（ｂ）参照）となり遊技球が入賞領域１１５９に入賞可能となる動作を繰り返す構造である。蓋体１１５３はスライド溝１１５３ａに沿ってスライドする構造である。
【０１１９】
第１２実施形態のパチンコ機１１０１によれば、ガイドレールに沿って斜めに配置したことにより遊技領域を有効利用できる効果に加えて、蓋体１１５３の形状により、通常時（閉鎖時）には遊技球をアウト口１１３４へ導く誘導部材として機能し、後退時（開放時）には大入賞口１１３５の開口部１１５２に遊技球を集合させる機能を果たすことができる。
【０１２０】
（第１３実施形態）
第１３実施形態のパチンコ機１２０１の遊技盤１２１６の構成について、図４１〜図４６を参照して説明する。
本実施形態は、ガイドレール１２１７に沿って斜めに配設した大入賞口１２３５，１２３６に大入賞口以外の遊技部材を加えてユニット化したものである。なお、第１〜第８実施形態に係る図中の符号を１２００番台に置き換え、第１〜８実施形態と同様の構成部品についてはその説明を援用する。
【０１２１】
図４１は、大入賞口１２３５，１２３６と一般入賞口１２５７とサイドランプ１２８３を一つのサイドユニット（サイドランプ大入賞口ユニット）８４として一体成形し、ガイドレール１２１７に沿うように配設したものである。図４２に示すように、遊技盤１２１６の左下下部に大入賞口１２３５を斜めに設け、その上部にガイドレール１２１７に沿うように一般入賞口１２５７、さらにその上部にサイドランプ１２８３を配置し一体成形することによって、湾曲した形状のサイドユニット８４となっている。なお、一般入賞口１２５７をサイドユニット８４から削除してもよいし、代替物を配置してもよい。
【０１２２】
また、遊技盤１２１６の右下下部の大入賞口１２３６も同様に、一般入賞口１２５７及びサイドランプ１２８３と一体成形され、ガイドレール１２１７に沿って湾曲した形状のサイドユニット８５となっている。サイドユニット８４は、内レール１２１７ｂの上端部からアウト口１２３４の近くまで延在している。サイドユニット８５もサイドユニット８４と遊技領域１４の縦中心線Ｖについて左右対称形状に配置されている。
【０１２３】
図４３は、第１３実施形態のサイドユニットの変更形態であり、前述した大入賞口１２３５と一般入賞口１２５７とサイドランプ１２８３から構成されるサイド飾りユニット８４に、さらに、普通電動役物１２３０を加えて一体成形し、ガイドレール１２１７に沿うように配設したサイドランプ大入賞口始動口ユニット８６である。このサイドランプ大入賞口始動口ユニット８６は、遊技盤１２１６の左下下部に大入賞口１２３５を斜めに設け、その上部にガイドレール１２１７に沿うように一般入賞口１２５７及びサイドランプ１２８３を配置して湾曲した形状のサイドユニットとし、さらに、遊技盤１２１６の横中心線Ｈからやや下がった部分に普通電動役物１２３０を配置し一体成形したものである。
【０１２４】
図４４は、第１３実施形態のサイドユニットの変更形態であり、遊技盤１２１６の左右下部に配設される２つの大入賞口１２３５及び１２３６を一つのユニットとし、その上部に各々一般入賞口１２５７とサイドランプ１２８３を設置し、さらに、その中央部分である遊技盤１２１６の横中心線からやや下がった部分に配置された普通電動役物１２３０をも加えて一体成形し、サイドランプ大入賞口始動口複合ユニット８７としたものである。このサイドランプ大入賞口始動口複合ユニット８７は、遊技盤１２１６の左下下部および右下下部に大入賞口１２３５及び１２３６を斜めに設け、その上部にガイドレール１２１７に沿うように一般入賞口１２５７及びサイドランプ１２８３を各々配置して湾曲した形状のサイドユニットとし、さらに、遊技盤１２１６の横中心線Ｈからやや下がった部分に普通電動役物１２３０を配置し一体成形されるものである。
【０１２５】
図４５は、第１３実施形態のサイドユニットの変更形態であり、前記したサイドユニットであるサイドランプ大入賞口ユニット８４を構成する大入賞口１２３５を、別の形態の大入賞口１２３５´とし、サイドランプ大入賞口ユニット８４´としたものである。大入賞口１２３５´は、大入賞口１２３５がアタッカー形式であったのに対して、上側の側面（上側横辺）に可動翼片８９を備えた側面開口形式となっている。図４５（ａ）は大入賞口１２３５´の閉鎖状態を示し、図４５（ｂ）のように、可動翼片８９が取付部９０を軸として遊技領域１２１４の面と平行状態で回転し、大入賞口１２３５´の開口部１２５２´を開放状態とする。大入賞口１２３５´は、図４６の側面図に示すように、側面から遊技球を取り込むために、ある程度の厚みを持たせた形状となっている。開口面積は図示に限らず適宜設定可能である。
【０１２６】
第１３実施形態のパチンコ機１２０１によれば、ガイドレール１２１７に沿って大入賞口１２３５，１２３６を斜めに配置したことにより遊技領域１２１４を有効利用できる効果に加えて、サイドランプ１２８３、始動口１２３０、一般入賞口１２５７等と一体形成しユニット化したことによって、さらにそれ以外の遊技装置を配置するスペースを十分に確保できる遊技機となる。さらに側面開口方式であるので、大入賞口の動作に趣向性を与えることができる。
【０１２７】
（第１４実施形態）
第１４実施形態の遊技盤１３１６に配設される大入賞口１３３５，１３３６の構成について、図４７及び図４８を参照して説明する。
本実施形態は、ガイドレール１３１７に沿って斜めに配設した大入賞口１３３５，１３３６の内側の形状を斜めからの遊技球の流入を容易にするための球誘導部材９１を設けたものである。なお、第１〜８実施形態に係る図中の符号を１３００番台に置き換え、第１〜８実施形態と同様の構成部品についてはその説明を援用する。
【０１２８】
図４７に示すように、大入賞口１３３５の蓋体１３５３の裏面には開口部１３５２に向かって細く伸びたレール状の突起によって遊技球を案内するように形成された球誘導部材９１が所定間隔又は適宜間隙を設けて複数（ここでは５本）装着されている。蓋体１３５３は、所定の開成条件が成立すると起立閉鎖状態から傾倒開放状態へと変化すると同時に案内部材である球誘導部材９１が遊技球を開口部１３５２へと案内する役目を果たすものである。球誘導部材９１は遊技球の流下方向に対して曲成されることで、大入賞口１３３５に対して斜めに流下してくる遊技球を、開口部１３５２へ垂直方向に誘導して案内するようになっている。前記間隙は遊技球を通過誘導できるようなものであることが好ましい。つまり、遊技球を流下方向から開口部１３５２の方向に転換するためのものである。
【０１２９】
図４８は第１４実施形態の変更形態の大入賞口１３３５´を表しており、大入賞口１３３５´の蓋体１３５３´の裏面に、遊技球を開口部１３５２´に向かって案内する案内部材である段部９１´が所定間隔又は適宜間隔を設けて複数箇所（ここでは４箇所）に形成されている。段部９１´の起伏状態が遊技球の流下方向に対して曲成されることで、大入賞口１３３５´に対して斜めに流下してくる遊技球を、開口部１３５２´へ垂直方向に誘導して案内するようになっている。
また、開口部１３５２´に向かうにつれて幅広となっているために、大入賞口１３３５´に複数の入賞領域を設けた構成のときなど、段部９１´により開口部１３５２´へは案内されるがその後の挙動は比較的自由にされているため上方（左側）に配置されている段部９１´により開口部１３５２´へ案内された遊技球が、開口部１３５２´の下方（右側）に到ることができ、どちらの入賞領域へも偏りなく入球させることができる。蓋体１３５３´は、所定の開成条件が成立すると起立閉鎖状態から傾倒開放状態へと変化すると同時に案内部材である段部９１´が遊技球を開口部１３５２´へと案内する役目を果たすものである。段部９１´は遊技球の流下方向に対して曲成されることで、遊技球を開口部１３５２´へ案内するようになっている。前記段部９１´の段差は遊技球を通過誘導できるようなものであることが好ましい。
【０１３０】
（第１５実施形態）
第１５実施形態のパチンコ機１４０１の遊技盤１４１６の構成について、図４９〜図５２を参照して説明する。
本実施形態は、ガイドレール１４１７に沿って斜めに配設した大入賞口１４３５，１４３６に上方から流下する遊技球を受け止めるための側壁９２を設けたものである。側壁９２は遊技球を大入賞口１４３５，１４３６へと誘導する案内部材として構成されたものである。なお、第１４実施形態に係る図中の符号を１４００番台に置き換え、第１４実施形態と同様の構成部品についてはその説明を援用する。
【０１３１】
本実施形態の大入賞口１４３５，１４３６の蓋体１４５３の裏面には、下方に位置する側の側部に球受け様の側壁９２が形成されている。また、大入賞口１４３５の蓋体１４５３の開閉動作を駆動する開閉駆動部１４６１は、図５１（ａ）に示すように、大入賞口ソレノイド１４３５ａ、大入賞口ソレノイド１４３５ａと連結するプランジャ１４６２及びプランジャ１４６２と連結するクランク１４６３等から構成されている。図５１（ｂ）に示すように、プランジャ１４６２が矢印Ｘの方向に押し込まれると、クランク１４６３が矢印Ｙの方向に回転し突出部１４６０が上部に移動されるとともに、矢印Ｚの方向に向けて蓋体１４５３を起立閉鎖状態から傾倒開放状態に変化させる。それによって、蓋体１４５３の裏面に形成された側壁９２が現れ、遊技球が蓋体１４５３の開放時に、その裏面を流下して開口部１４５２に入らず通過することを防止するものである。また、蓋体１４５３の裏面は、蓋体１４５３の側辺の厚みが一方側に向かって厚くなるように、その表面側に傾斜面が設定され、開口部１４５２への流入率が高くなる。また、側壁９２は蓋体１４５３の表面に対して垂直になっていることが好ましいが、傾斜させてもよい。
【０１３２】
図５２（ａ）は、開放状態となった大入賞口１４３５単体の右側面図（右下方向から見た図）であり、側壁９２が側面視で扇状に形成され遊技球の通過を防止する受け部となっている。図５２（ｂ）は、同じく開放状態となった大入賞口１４３５単体を左側からみた側面図（左上方向から見た図）であり、側壁９２は、扇状の板体の周囲が突出（凸部９２ａ）することにより、中央に窪み部９２ｂが形成されており、流下する遊技球が窪み部９２ｂに受け止められることによって、入賞領域１４５９（図５０参照）へ入球可能な形状となっている。
【０１３３】
第１５実施形態のパチンコ機１４０１によれば、蓋体１４５３裏面に形成された側壁９２によって流下する遊技球を受け止めて大入賞口１４３５，１４３６の開口部１４５２に誘導するので、ガイドレール１４１７に沿って大入賞口１４３５，１４３６を斜めに配置したことにより遊技領域１４１４を有効利用できる効果に加えて、大入賞口を斜めに配置したことによる大入賞口１４３５，１４３６への入球率の低下を防止できる。さらに蓋体１４５３の裏面が傾斜面となっているので、誘導効率が高くなる。
【０１３４】
（第１６実施形態）
第１６実施形態のパチンコ機１５０１の遊技盤１５１６の構成について、図５３及び図５４を参照して説明する。
本実施形態は、ガイドレール１５１７に沿って斜めに配設した大入賞口１５３５に遊技球の入球を容易にするための案内部材９３を設けたものである。なお、第１〜８実施形態に係る図中の符号を１５００番台に置き換え、第１〜８実施形態と同様の構成部品についてはその説明を援用する。
【０１３５】
本実施形態の大入賞口１５３５には、蓋体１５５３の下方に位置する側の側部に、開口部１５５２の外に流下しようとする遊技球をも大入賞口１５３５の内部に誘導する案内部材９３が形成されている。
図５４（ａ）は大入賞口１５３５の拡大図、図５４（ｂ）は、遊技球が案内部材９３によって大入賞口１５３５へ誘導される様子を示した説明図である。図５４（ｂ）に示すように、遊技盤１５１６の上方から流下してきた遊技球は、大入賞口１５３５の開口部１５５２から外れた位置に落下してきており、そのままアウト口１５３４へと取り込まれる流下経路上にあるが、大入賞口１５３５の蓋体１５５３の右側端の近傍に装着した案内部材９３により、図５４（ｂ）の矢印方向に流れ方向が屈曲して誘導され、大入賞口１５３５へ入賞することとなる。そのため、案内部材９３の上面は左斜め下方向に傾斜している。大入賞口１５３６の蓋体１５５３の左側端の近傍にも同様に案内部材９３が形成され、案内部材９３の上面は右斜め下方向に傾斜している。
【０１３６】
第１６実施形態のパチンコ機１５０１によれば、大入賞口１５３５の開口部１５５２近傍に設けた案内部材９３により大入賞口１５３５の開口部１５５２に遊技球が誘導されるので、大入賞口を斜めに配置したことによる大入賞口１５３５への入球率の低下を防止できる。
【０１３７】
（第１７実施形態）
第１７実施形態のパチンコ機１６０１の遊技盤１６１６の構成について、図５５及び図５６を参照して説明する。
本実施形態は、ガイドレール１６１７に沿って斜めに配設した大入賞口１６３５及び１６３６の近辺に、大入賞口１６３５，１６３６への遊技球の入球を容易にするための誘導部材９４を設けたものである。なお、第１〜８実施形態に係る図中の符号を１６００番台に置き換え、第１〜８実施形態と同様の構成部品についてはその説明を援用する。
【０１３８】
本実施形態の遊技盤１６１６の大入賞口１６３５，１６３６と始動口１６３０の間に位置する遊技領域１６１４には、遊技盤１６１６の上方から流下してきた遊技球が始動口１６３０と大入賞口１６３５及び１６３６の間からアウト口１６３４に入ってしまわないように、その流下経路を遮るような位置に誘導部材９４が設置されている。この誘導部材９４は板状であって、左右対称にハの字形状に設置される。この誘導部材９４により、上方から流下してきた遊技球は、屈曲して流下し、斜めに配置された大入賞口１６３５，１６３６へと誘導されるような構成となっている（図５６参照）。誘導部材９４の長手方向は、蓋体１６５３の縦辺と平行か、又は、さらに傾斜が浅くなるように設定されている。誘導部材９４の長手方向は、その延長線が始動口１６３０を斜めに通るような位置に設定されている。特に可動翼片１６３０ａの間隙を通過することが好ましい。
【０１３９】
第１７実施形態のパチンコ機１６０１によれば、始動口１６３０へ入球し損なった零れ球や、センターケース１６３７の左右から遊技盤１６１６の下方へ流下する遊技球を誘導部材９４によって大入賞口１６３５，１６３６へと誘導できるので、大入賞口を斜めに配置したことによる大入賞口１６３５，１６３６への入球率の低下を防止できる。
【０１４０】
（第１８実施形態）
第１８実施形態のパチンコ機１７０１の遊技盤１７１６の構成について、図５７及び図５８を参照して説明する。
本実施形態は、ガイドレール１７１７に沿って斜めに配設した大入賞口１７３５及び１７３６の近辺に、大入賞口１７３５，１７３６への遊技球の入球を容易にするための可動誘導部材９５を設けたものである。可動誘導部材９５はその上部がピンで遊技盤１７１６に係止され、吊り下げ状態となっていて、駆動装置（図示略）によって、ピンが回動することによって、その下端部が揺動するようになっている。なお、本実施形態は、第１７実施形態に係る図中の符号を１７００番台に置き換え、第１７実施形態と同様の構成部品についてはその説明を援用する。
【０１４１】
本実施形態の遊技盤１７１６の大入賞口１７３５，１７３６と始動口１７３０の間に位置する領域の下部に、遊技盤１７１６の上方から流下してきた遊技球が始動口１７３０と大入賞口１７３５及び１７３６の間からアウト口１７３４に入ってしまわないように、その流下経路を遮るような位置に可動誘導部材９５が設置されている。
可動誘導部材９５は、大入賞口の閉鎖状態と開放状態とで制御可能なもので、図５８（ａ）は、大入賞口閉鎖時の可動誘導部材９５を表すもので、図５８（ｂ）は、大入賞口開放時の可動誘導部材９５を表している。
図５８（ａ）に示すように大入賞口閉鎖状態では、可動誘導部材９５はその先端９５ａが遊技盤１７１６の下方に向かって伸びた状態となっており、上方から流下してくる遊技球は大入賞口１７３５，１７３６と可動誘導部材９５の間を抜けて落下し、アウト口１７３４へと取り込まれる。
また、大入賞口が開放状態では、可動誘導部材９５はその先端９５ａを大入賞口１７３５，１７３６の方向へ傾斜させて、図５８（ｂ）に示すように、上方から流下してくる遊技球を大入賞口１７３５，１７３６へと誘導する構成となっている。図５８（ｂ）の可動誘導部材９５の配置は図５６の誘導部材９４の配置と同様でよい。
【０１４２】
第１８実施形態のパチンコ機１７０１によれば、始動口１７３０へ入球し損なった零れ球や、センターケース１７３７の左右から遊技盤１７１６の下方へ流下する遊技球を可動誘導部材９５によって大入賞口１７３５，１７３６へと誘導できるので、大入賞口を斜めに配置したことによる大入賞口への入球率の低下を防止できる。また、可動誘導部材９５は大入賞口開放時のみ作動させることができるので、必要な時のみ大入賞口１７３５，１７３６へ遊技球を導くことができる。
【０１４３】
尚、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【０１４４】
【図１】本発明を採用した第１実施形態のパチンコ機１を示す外観斜視図である。
【図２】第１実施形態のパチンコ機１を裏面からみた裏面図である。
【図３】第１実施形態のパチンコ機１の遊技盤１６の構成を示す正面図である。
【図４】第１実施形態のパチンコ機１の電気的構成を示すブロック図である。
【図５】第１実施形態の主制御基板２５で実行される「メインルーチン」の処理を示すフローチャートである。
【図６】（ａ）は第１実施形態の大入賞口３５の閉鎖状態を示す斜視図であり、（ｂ）は同開放状態を示す斜視図である。
【図７】（ａ）は図６の大入賞口３５のＡ−Ａ´断面図であり、（ｂ）は同Ｂ−Ｂ´断面図である。
【図８】（ａ）は第１実施形態の開閉駆動部を備えた大入賞口３５の閉鎖状態を示す斜視図であり、（ｂ）は同開放状態を示す斜視図である。
【図９】（ａ）は第１実施形態のパチンコ機１に採用される変更形態の大入賞口３５´の閉鎖状態を示す断面図であり、（ｂ）は同開放状態を示す断面図である。
【図１０】第１実施形態の大入賞口３５を一方に設けた遊技盤１６の構成を示す正面図である。
【図１１】第１実施形態の変更形態１の遊技盤１６´を示す正面図である。
【図１２】第１実施形態の更なる変更形態２の遊技盤１６´´を示す正面図である。
【図１３】第２実施形態のパチンコ機の遊技盤１１６の構成を示す正面図である。
【図１４】第２実施形態の大入賞口１３５，１３６及び大入賞口への誘導経路を示す説明図である。
【図１５】第３実施形態のパチンコ機の遊技盤２１６の構成を示す正面図である。
【図１６】（ａ）は第３実施形態の始動口２３０及び大入賞口２３５，２３６を示す説明図であり、（ｂ）は第３実施形態の変更形態の始動口２３０´及び大入賞口２３５´，２３６´を示す説明図である。
【図１７】第４実施形態のパチンコ機の遊技盤３１６の構成を示す正面図である。
【図１８】第４実施形態の始動口大入賞口ユニット６７の拡大正面図である。
【図１９】第５実施形態のパチンコ機の遊技盤４１６の構成を示す正面図である。
【図２０】第５実施形態のセンターケース４３７の拡大正面図である。
【図２１】（ａ）は第５実施形態のセンターケース４３７の誘導部材６８，６９を作動させない状態を示す説明図であり、（ｂ）は同誘導部材６８，６９を作動させた状態を示す説明図である。
【図２２】第６実施形態のパチンコ機の遊技盤５１６の構成を示す正面図である。
【図２３】第６実施形態の大入賞口５３５，５３６及び大入賞口への誘導経路を示す説明図である。
【図２４】第７実施形態のパチンコ機の遊技盤６１６の構成を示す正面図である。
【図２５】（ａ）は第７実施形態のセンターケース６３７及び始動口６３０を示す斜視図であり、（ｂ）は同大入賞口６３５，６３６及び始動口６３０への誘導経路を示す説明図である。
【図２６】第８実施形態のパチンコ機の遊技盤７１６の構成を示す正面図である。
【図２７】（ａ）は第８実施形態のパチンコ機の大入賞口７３５の閉鎖状態を示す斜視図であり、（ｂ）は同開放状態を示す斜視図である。
【図２８】（ａ）は図２７の大入賞口７３５のＡ−Ａ´断面図であり、（ｂ）は図２７の大入賞口７３５のＢ−Ｂ´断面図である。
【図２９】（ａ）は第８実施形態の開閉駆動部を備えた大入賞口７３５の閉鎖状態を示す斜視図であり、（ｂ）は同開放状態を示す斜視図である。
【図３０】第９実施形態のパチンコ機の遊技盤８１６の構成を示す正面図である。
【図３１】（ａ）は第９実施形態のパチンコ機の大入賞口８３５の閉鎖状態を示す斜視図であり、（ｂ）は同開放状態を示す斜視図である。
【図３２】（ａ）は図３１の大入賞口８３５のＡ−Ａ´断面図であり、（ｂ）は図３１の大入賞口８３５のＢ−Ｂ´断面図である。
【図３３】（ａ）は第９実施形態の大入賞口８３５の形状を示す斜視図であり、（ｂ）は同平面図である。
【図３４】第１０実施形態のパチンコ機の遊技盤９１６の構成を示す正面図である。
【図３５】（ａ）は第１０実施形態のパチンコ機の大入賞口９３５の閉鎖状態を示す拡大図であり、（ｂ）は同開放状態を示す拡大図である。
【図３６】（ａ）は図３５の大入賞口９３５のＡ−Ａ´断面図であり、（ｂ）は同Ｂ−Ｂ´断面図である。
【図３７】第１１実施形態のパチンコ機の遊技盤１０１６の構成を示す正面図である。
【図３８】（ａ）は第１１実施形態のパチンコ機の大入賞口１０３５の閉鎖状態を示す拡大図であり、（ｂ）は同開放状態を示す拡大図である。
【図３９】第１２実施形態のパチンコ機の遊技盤１１１６の構成を示す正面図である。
【図４０】（ａ）は第１２実施形態のパチンコ機の大入賞口１１３５の閉鎖状態を示す拡大図であり、（ｂ）は同開放状態を示す拡大図である。
【図４１】第１３実施形態のパチンコ機の遊技盤１２１６の構成を示す正面図である。
【図４２】第１３実施形態のサイドユニット８４を示す拡大図である。
【図４３】第１３実施形態のサイドユニットの変更形態のサイドランプ大入賞口始動口ユニット８６を示す拡大図である。
【図４４】第１３実施形態のサイドユニットの変更形態のサイドランプ大入賞口始動口複合ユニット８７の拡大図である。
【図４５】（ａ）は第１３実施形態のサイドユニット８４の変更形態のサイドランプ大入賞口ユニット８４´の大入賞口閉鎖時を示す拡大図であり、（ｂ）は同開放時を示す拡大図である。
【図４６】（ａ）はサイドランプ大入賞口ユニット８４´の大入賞口閉鎖時の側面図であり、（ｂ）は同大入賞口開放時の側面図である。
【図４７】（ａ）は第１４実施形態の大入賞口１３３５の蓋体の裏面を表す説明図であり、（ｂ）は同大入賞口１３３５の開放状態を示す斜視図である。
【図４８】（ａ）は第１４実施形態のの変更形態の大入賞口１３３５´蓋体の裏面を表す説明図であり、（ｂ）は同大入賞口１３３５´の開放状態を示す斜視図である。
【図４９】第１５実施形態のパチンコ機の遊技盤１４１６の構成を示す正面図である。
【図５０】（ａ）は第１５実施形態のパチンコ機の大入賞口１４３５の閉鎖状態を示す拡大図であり、（ｂ）は同開放状態を示す拡大図である。
【図５１】（ａ）は第１５実施形態の開閉駆動部を備えた大入賞口１４３５の閉鎖状態を示す斜視図であり、（ｂ）は同開放状態を示す斜視図である。
【図５２】（ａ）は第１５実施形態の側壁９２を備えた大入賞口１４３５の開放状態を示す右側面図であり、（ｂ）は同開放状態を示す左側面図である。
【図５３】第１６実施形態のパチンコ機の遊技盤１５１６の構成を示す正面図である。
【図５４】（ａ）は第１６実施形態のパチンコ機の大入賞口１５３５を示す拡大図であり、（ｂ）は遊技球が入球する状態を示した拡大図である。
【図５５】第１７実施形態のパチンコ機の遊技盤１６１６の構成を示す正面図である。
【図５６】第１７実施形態のパチンコ機の大入賞口１６３５に遊技球が入球する状態を示した説明図である。
【図５７】第１８実施形態のパチンコ機の遊技盤１７１６の構成を示す正面図である。
【図５８】（ａ）は第１８実施形態のパチンコ機の大入賞口１７３５，１７３６の閉鎖状態を示す説明図であり、（ｂ）は同開放状態の大入賞口１７３５，１７３６に遊技球が入球する状態を示した説明図である。
【符号の説明】
【０１４５】
１…パチンコ機    １６…遊技盤    １７…ガイドレール    
２５…主制御基板    ２７…特別図柄表示装置    ３０…始動口（電動役物）    
３１…普通図柄表示部    ３２、３３…普通図柄作動ゲート    
３５、３６…大入賞口    ３７…センターケース    ４０…遊技釘    
５２…開口部    ５３…蓋体（開閉部材）    ５７…一般入賞口    
５９…入賞領域    ６１…開閉駆動部    ６４…誘導部材    
６５、６６…誘導部位    ７０…ステージ    ７１…ワープ    
８０…側面板（側壁）    ８３…サイドランプ    ８４、８５…サイドユニット    
８９…可動翼片    ９１…球誘導部材（案内部材）    ９２…側壁    
９３…案内部材    ９５…可動誘導部材
【図１】
2006061675.tif 000003
【図２】
2006061675.tif 000004
【図３】
2006061675.tif 000005
【図４】
2006061675.tif 000006
【図５】
2006061675.tif 000007
【図６】
2006061675.tif 000008
【図７】
2006061675.tif 000009
【図８】
2006061675.tif 000010
【図９】
2006061675.tif 000011
【図１０】
2006061675.tif 000012
【図１１】
2006061675.tif 000013
【図１２】
2006061675.tif 000014
【図１３】
2006061675.tif 000015
【図１４】
2006061675.tif 000016
【図１５】
2006061675.tif 000017
【図１６】
2006061675.tif 000018
【図１７】
2006061675.tif 000019
【図１８】
2006061675.tif 000020
【図１９】
2006061675.tif 000021
【図２０】
2006061675.tif 000022
【図２１】
2006061675.tif 000023
【図２２】
2006061675.tif 000024
【図２３】
2006061675.tif 000025
【図２４】
2006061675.tif 000026
【図２５】
2006061675.tif 000027
【図２６】
2006061675.tif 000028
【図２７】
2006061675.tif 000029
【図２８】
2006061675.tif 000030
【図２９】
2006061675.tif 000031
【図３０】
2006061675.tif 000032
【図３１】
2006061675.tif 000033
【図３２】
2006061675.tif 000034
【図３３】
2006061675.tif 000035
【図３４】
2006061675.tif 000036
【図３５】
2006061675.tif 000037
【図３６】
2006061675.tif 000038
【図３７】
2006061675.tif 000039
【図３８】
2006061675.tif 000040
【図３９】
2006061675.tif 000041
【図４０】
2006061675.tif 000042
【図４１】
2006061675.tif 000043
【図４２】
2006061675.tif 000044
【図４３】
2006061675.tif 000045
【図４４】
2006061675.tif 000046
【図４５】
2006061675.tif 000047
【図４６】
2006061675.tif 000048
【図４７】
2006061675.tif 000049
【図４８】
2006061675.tif 000050
【図４９】
2006061675.tif 000051
【図５０】
2006061675.tif 000052
【図５１】
2006061675.tif 000053
【図５２】
2006061675.tif 000054
【図５３】
2006061675.tif 000055
【図５４】
2006061675.tif 000056
【図５５】
2006061675.tif 000057
【図５６】
2006061675.tif 000058
【図５７】
2006061675.tif 000059
【図５８】
2006061675.tif 000060